(57)【特許請求の範囲】
【請求項１】
第１帯域幅によりサービングセルと隣接セルとの通信状態を測定する第１帯域幅測定部と、
前記第１帯域幅より大きな第２帯域幅により前記サービングセルと前記隣接セルとの通信状態を測定する第２帯域幅測定部と、
前記第１帯域幅測定部と前記第２帯域幅測定部とを選択的に起動する制御部と、
前記第１帯域幅測定部と前記第２帯域幅測定部とにより測定された前記サービングセルと前記隣接セルとの通信状態に基づき、前記サービングセルから前記隣接セルへのセル移行を実行するセル移行部と、
を有する移動機であって、
前記制御部は、第１切替頻度により前記第１帯域幅測定部と前記第２帯域幅測定部とを切り替える移動機。
【請求項２】
前記第１帯域幅と前記第２帯域幅との間の大きさの第３帯域幅により前記サービングセルと前記隣接セルとの通信状態を測定する第３帯域幅測定部と、
当該移動機のバッテリ残量を検出し、前記検出されたバッテリ残量が所定の閾値以下であるか判定するバッテリ残量判定部と、
をさらに有し、
前記検出されたバッテリ残量が前記所定の閾値以下であると前記バッテリ残量判定部が判定すると、前記制御部は、前記第１切替頻度により前記第１帯域幅測定部と前記第３帯域幅測定部とを切り替え、
前記セル移行部は、前記第３帯域幅測定部により測定された前記サービングセルと前記隣接セルとの通信状態にさらに基づき、前記サービングセルから前記隣接セルへのセル移行を実行する、請求項１記載の移動機。
【請求項３】
前記第１帯域幅と前記第２帯域幅との間の大きさの第３帯域幅により前記サービングセルと前記隣接セルとの通信状態を測定する第３帯域幅測定部と、
当該移動機がバッテリセービングモードに設定されているか判定するバッテリセービングモード判定部と、
をさらに有し、
当該移動機が前記バッテリセービングモードに設定されていると前記バッテリセービングモード判定部が判定すると、前記制御部は、前記第１切替頻度により前記第１帯域幅測定部と前記第３帯域幅測定部とを切り替え、
前記セル移行部は、前記第３帯域幅測定部により測定された前記サービングセルと前記隣接セルとの通信状態にさらに基づき、前記サービングセルから前記隣接セルへのセル移行を実行する、請求項１記載の移動機。
【請求項４】
当該移動機が第２帯域幅強制測定モードに設定されているか判定するモード選択部をさらに有し、
当該移動機が前記第２帯域幅強制測定モードに設定されていると前記モード選択部が判定すると、前記制御部は、前記第１切替頻度より低い第２切替頻度により前記第２帯域幅測定部と前記第３帯域幅測定部とを切り替える、請求項２又は３記載の移動機。
【請求項５】
第１帯域幅によりサービングセルと隣接セルとの通信状態を測定するステップと、
前記第１帯域幅より大きな第２帯域幅により前記サービングセルと前記隣接セルとの通信状態を測定するステップと、
前記第１帯域幅と前記第２帯域幅とにより測定された前記サービングセルと前記隣接セルとの通信状態に基づき、前記サービングセルから前記隣接セルへのセル移行を実行するステップと、
を有する移動機における方法であって、
前記第１帯域幅によりサービングセルと隣接セルとの通信状態を測定するステップと前記第２帯域幅により前記サービングセルと前記隣接セルとの通信状態を測定するステップとは、第１切替頻度により切り替えて実行される方法。
【発明の詳細な説明】
【技術分野】
【０００１】
本発明は、無線通信システムに関し、より詳細にはセル移行時における測定帯域を制御する移動機及び方法に関する。
【背景技術】
【０００２】
セルラ方式の無線通信システムでは、移動機は、通信状態のより良好なセルに移行するため、移動機が在圏するサービングセルとサービングセルに隣接するセルとの通信品質を定期的に測定している。例えば、サービングセルとの接続を確立し、サービング基地局と通信している間に通信状態がより良好なセルが検出されると、移動機は、システムとの通信を維持したまま検出されたセルに移行する（ハンドオーバ）。また、サービング基地局と通信していないアイドル状態にある間も、移動機は、サービングセルと隣接セルとの通信状態を定期的に測定し、通信状態がより良好なセルが検出されると、検出されたセルに移行する（セル再選択）。
【０００３】
３ＧＰＰ（３ｒｄ  Ｇｅｎｅｒａｔｉｏｎ  Ｐａｒｔｎｅｒｓｈｉｐ  Ｐｒｏｊｅｃｔ）によるＬＴＥ（Ｌｏｎｇ  Ｔｅｒｍ  Ｅｖｏｌｕｔｉｏｎ）規格では、移動機が在圏するサービングセルと隣接セルとの通信状態を測定する際、移動機は少なくとも１．０６ＭＨｚ以上の周波数範囲を測定することが規定されている。バッテリセービングの観点から広帯域の測定を回避するため、移動機の測定帯域幅は１．０６ＭＨｚ近傍に設定されることがある。
【先行技術文献】
【特許文献】
【０００４】
【特許文献１】特表２０１１−５０２３６８
【特許文献２】特表２０１０−５３９７６６
【発明の概要】
【発明が解決しようとする課題】
【０００５】
ＬＴＥでは、５ＭＨｚや１０ＭＨｚなどの異なる帯域幅を有するセルを利用することが許容されている。また、隣接セル間には、相互の干渉を防ぐために一定の帯域幅の周波数帯域（ガード区間）が設定される。この場合、例えば、１０ＭＨｚのセルから５ＭＨｚのセルに移行する際、以下のような問題が生じる可能性がある。すなわち、図１に示されるように、移動機が１０ＭＨｚのサービングセルに在圏し、２つの５ＭＨｚの隣接セルの通信品質を６リソースブロック（ＲＢ）に相当する１．０８ＭＨｚの帯域幅で測定しているケースを考える。図示されたケースでは、サービングセルの測定帯域は、これら２つの隣接セルの間のガード区間に対応するものとなっている。この場合、隣接セルの測定結果に基づき推定される干渉は、干渉を回避するためのガード区間の影響を受け、実際の通信状態よりも良好な測定結果が検出される可能性がある。このため、この検出結果に依拠してセル移行を実行した場合、移行先セルにおいて実際の通信環境が不良であるなどの理由から、移行先セルへの接続に失敗してしまう可能性がある。
【０００６】
この問題を回避するためには、より広帯域な測定帯域によって隣接セルの通信状態を測定すればよい。しかしながら、これは、バッテリセービングの観点からは望ましくない。
【０００７】
上記問題点に鑑み、本発明の課題は、電力消費を抑制しながら、移動機のセル移行時の接続失敗を回避するための技術を提供することである。
【課題を解決するための手段】
【０００８】
本発明の一態様は、第１帯域幅によりサービングセルと隣接セルとの通信状態を測定する第１帯域幅測定部と、前記第１帯域幅より大きな第２帯域幅により前記サービングセルと前記隣接セルとの通信状態を測定する第２帯域幅測定部と、前記第１帯域幅測定部と前記第２帯域幅測定部とを選択的に起動する制御部と、前記第１帯域幅測定部と前記第２帯域幅測定部とにより測定された前記サービングセルと前記隣接セルとの通信状態に基づき、前記サービングセルから前記隣接セルへのセル移行を実行するセル移行部とを有する移動機であって、前記制御部は、第１切替頻度により前記第１帯域幅測定部と前記第２帯域幅測定部とを切り替える移動機に関する。
【発明の効果】
【０００９】
本発明によると、電力消費を抑制しながら、移動機のセル移行時の接続失敗を回避することができる。
【図面の簡単な説明】
【００１０】
【図１】図１は、異なる帯域幅のセル間の測定帯域の関係を示す概略図である。
【図２】図２は、本発明の第１実施例による移動機の構成を示すブロック図である。
【図３】図３は、本発明の第１実施例による移動機のセル再選択処理を示すフロー図である。
【図４】図４は、本発明の第２実施例による移動機の構成を示すブロック図である。
【図５】図５は、本発明の第２実施例による移動機のハンドオーバ処理を示すフロー図である。
【図６】図６は、本発明の第３実施例による移動機の構成を示すブロック図である。
【図７】図７は、本発明の第３実施例による移動機のセル再選択処理を示すフロー図である。
【図８】図８は、本発明の第４実施例による移動機の構成を示すブロック図である。
【図９】図９は、本発明の第４実施例による移動機のハンドオーバ処理を示すフロー図である。
【図１０】図１０は、本発明の第５実施例による移動機の構成を示すブロック図である。
【図１１】図１１は、本発明の第５実施例による移動機のセル再選択処理を示すフロー図である。
【図１２】図１２は、本発明の第６実施例による移動機の構成を示すブロック図である。
【図１３】図１３は、本発明の第６実施例による移動機のハンドオーバ処理を示すフロー図である。
【図１４】図１４は、本発明の第７実施例による移動機の構成を示すブロック図である。
【図１５】図１５は、本発明の第７実施例による移動機のセル再選択処理を示すフロー図である。
【図１６】図１６は、本発明の第８実施例による移動機の構成を示すブロック図である。
【図１７】図１７は、本発明の第８実施例による移動機のハンドオーバ処理を示すフロー図である。
【図１８】図１８は、本発明の第９実施例による移動機の構成を示すブロック図である。
【図１９】図１９は、本発明の第９実施例による移動機のセル再選択処理を示すフロー図である。
【図２０】図２０は、本発明の第１０実施例による移動機の構成を示すブロック図である。
【図２１】図２１は、本発明の第１０実施例による移動機のハンドオーバ処理を示すフロー図である。
【発明を実施するための形態】
【００１１】
以下、図面に基づいて本発明の実施の形態を説明する。なお、添付した図面において、同一機能を有するものは同一又は対応する符号を用い、繰り返しの説明は省略する。
【００１２】
以下に説明される各実施例による移動機は、無線通信システムを構成する基地局と無線接続することによって、無線通信システムにより提供される各種通信サービスを利用する。典型的には、無線通信システムでは、当該システムのサービスエリアをカバーするよう複数の基地局が配置される。各基地局は、ある地理的エリアをカバーし、当該エリアに在圏する移動機と無線通信することによって、移動機に各種通信サービスを提供する。なお、以下の実施例では、基地局が提供するセルとして、５ＭＨｚのＬＴＥ又は３Ｇセルと１０ＭＨｚのＬＴＥセルとが例示的に説明されるが、本発明はこれに限定されるものでない。本発明は、同一の又は異なる帯域幅を有するセルに適用可能である。
【００１３】
各実施例による移動機は、典型的には、携帯電話端末、スマートフォン、パーソナルコンピュータなどのユーザ装置（ＵＥ）である。移動機は、典型的には、補助記憶装置、メモリ装置、ＣＰＵ、通信装置、表示装置、入力装置などの各種ハードウェアリソースの１以上から構成される。補助記憶装置は、ハードディスクやフラッシュメモリなどから構成され、後述される各種処理を実現するプログラムやデータを格納する。メモリ装置は、ＲＡＭ（Ｒａｎｄｏｍ  Ａｃｃｅｓｓ  Ｍｅｍｏｒｙ）などから構成され、プログラムの起動指示があった場合に、補助記憶装置からプログラムを読み出して格納する。ＣＰＵは、情報を処理するプロセッサとして機能し、メモリ装置に格納されたプログラムに従って後述される各種機能を実現する。通信装置は、ネットワークを介しサーバなどの他の装置と通信するために、基地局と無線接続するための各種通信回路から構成される。表示装置及び入力装置は、移動機とユーザとの間のユーザインタフェースを提供する。
【００１４】
図２及び３を参照して、本発明の第１実施例による移動機を説明する。本実施例では、アイドル状態で１０ＭＨｚのＬＴＥセルに在圏する移動機が、６リソースブロック（すなわち、１．０８ＭＨｚ）の帯域幅の測定帯域とシステム帯域幅の測定帯域とを所定のサイクルで切替ながら、サービングセル及び隣接セルの通信状態を測定し、測定された通信状態に基づき５ＭＨｚのＬＴＥセル又は３Ｇセルなどの隣接セルへのセル再選択を実行する。
【００１５】
図２は、本発明の第１実施例による移動機の構成を示すブロック図である。図２に示されるように、本実施例による移動機１００は、セル再選択制御部１１０と、６リソースブロック（ＲＢ）測定部１２０と、システム帯域幅測定部１３０と、記憶部１４０と、セル再選択判定部１５０と、セル再選択実行部１６０とを有する。
【００１６】
セル再選択制御部１１０は、アイドル状態中の移動機１００によるセル再選択処理全体を制御する。具体的には、セル再選択制御部１１０は、所定の測定サイクルに従って１．０８ＭＨｚの帯域幅によりサービングセルと隣接セルとの通信状態を測定するよう６ＲＢ測定部１２０に指示する。一般に、各移動機では、電力消費を低減させるためアイドル状態において間欠受信（ＤＲＸ：Ｄｉｓｃｏｎｔｉｎｕｏｕｓ  Ｒｅｃｅｐｔｉｏｎ）機能が適用可能である。従って、アイドル状態中の移動機１００においてＤＲＸ機能が適用されている場合、セル再選択制御部１１０は、ＤＲＸサイクル長に応じて測定サイクルを設定するようにしてもよい。
【００１７】
さらに、セル再選択制御部１１０は、定期的に１．０８ＭＨｚより大きなシステム帯域幅でサービングセルと隣接セルとの通信状態を測定するため、設定された測定サイクルにより規定される測定機会の一部においてシステム帯域幅測定部１３０を起動する。例えば、セル再選択制御部１１０は、Ｘ回の測定機会のうち１回においてシステム帯域幅測定部１３０を起動するようにしてもよい。この切替頻度を指定するＸの値は、所定の定数であってもよいし、通信状態などに応じて動的に移動機により設定されてもよい。
【００１８】
６ＲＢ測定部１２０は、セル再選択制御部１１０から測定指示信号を受信すると、６リソースブロック（ＲＢ）に相当する１．０８ＭＨｚの帯域幅によりサービングセルと隣接セルとの通信状態を測定し、測定された通信状態を記憶部１４０に提供する。例えば、６ＲＢ測定部１２０は、サービングセルと隣接セルとの各基地局から送信されるリファレンス信号について、１．０８ＭＨｚの帯域幅におけるリファレンス信号の受信レベルを測定し、測定した受信レベルに基づき受信品質ＲＳＲＱ（Ｒｅｆｅｒｅｎｃｅ  Ｓｉｇｎａｌ  Ｒｅｃｅｉｖｅｄ  Ｑｕａｌｉｔｙ）を決定する。測定される１．０８ＭＨｚの帯域は、典型的には、当該測定帯域の中心周波数がサービングセルの中心周波数となるよう設定される。
【００１９】
システム帯域幅測定部１３０は、セル再選択制御部１１０から測定指示信号を受信すると、システム帯域幅によりサービングセルと隣接セルとの通信状態を測定し、測定された通信状態を記憶部１４０に提供する。例えば、システム帯域幅測定部１３０は、サービングセルと隣接セルとの各基地局から送信されるリファレンス信号について、システム帯域全体におけるリファレンス信号の受信レベルを測定し、測定した受信レベルに基づき受信品質ＲＳＲＱを決定する。
【００２０】
記憶部１４０は、６ＲＢ測定部１２０及びシステム帯域幅測定部１３０から提供される通信状態の測定結果と共に、セル再選択処理に用いられる各種データを格納する。また、記憶部１４０は、移動機１００の他の構成要素からの要求に応答して、格納されたデータを提供する。
【００２１】
セル再選択判定部１５０は、６ＲＢ測定部１２０及びシステム帯域幅測定部１３０により測定されたサービングセルと隣接セルとの通信状態に基づき、サービングセルから隣接セルへのセル再選択を実行するか判定する。サービングセルから隣接セルへのセル再選択を実行すべきと判断すると、セル再選択判定部１５０は、セル再選択実行部１６０にセル再選択を実行するよう指示する。ここで、セル再選択判定部１５０は、測定機会Ｘ回毎に測定されるシステム帯域幅や後述される５ＭＨｚの帯域幅などの広帯域の測定結果がセル再選択判定に考慮されるようにするため、１．０８ＭＨｚの帯域幅の測定結果と共に、記憶部１４０に格納されている過去のシステム帯域幅や５ＭＨｚの帯域幅の測定結果を参照して、セル再選択判定を実行する。このセル再選択の適否判定については、いくつかの判定基準が考えられる。１つの判定基準として、サービングセルのＲＳＲＱが所定の閾値Threshserving,low（−１３０ｄＢｍなど）を下回り、隣接セルのＲＳＲＱがThreshserving,lowより大きな所定の閾値Threshx,low（−１１１ｄＢｍなど）を上回った状態が、Treselection以上の期間継続したら、隣接セルへのセル再選択を実行すべきと判断される。また、他の判定基準として、隣接セルのＲＳＲＱがサービングセルのＲＳＲＱを所定の閾値以上上回った状態が、Treselection以上の期間継続したら、隣接セルへのセル再選択を実行すべきと判断される。また、他の判定基準として、隣接セルのＲＳＲＱが閾値Threshx,high（−１２４ｄＢｍなど）を上回った状態が、Treselection以上の期間継続したら、隣接セルへのセル再選択を実行すべきと判断される。また、他の判定基準として、サービングセルのＲＳＲＱが閾値Threshserving,low（−１３０ｄＢｍ）を下回り、隣接セルのＲＳＲＱが閾値Threshserving,lowより大きな閾値Threshx,low（−１１１ｄＢｍ）を上回った状態が、Treselection以上の期間継続したら、隣接セルへのセル再選択を実行すべきと判断される。しかしながら、本発明はこれに限定されるものでなく、何れか適切な広帯域による測定結果を利用したセル再選択適否基準が適用されてもよい。
【００２２】
セル再選択実行部１６０は、セル再選択判定部１５０からサービングセルから隣接セルへのセル再選択を実行するよう指示されると、サービングセルの基地局及び隣接セルの基地局とやりとりし、セル再選択を実行して当該隣接セルを新たなサービングセルに設定する。
【００２３】
図３は、本発明の第１実施例による移動機のセル再選択処理を示すフロー図である。図３に示されるように、ステップＳ１０１において、移動機１００は、１０ＭＨｚのＬＴＥセルに在圏し、当該セルをサービングセルに設定する。
【００２４】
ステップＳ１０２において、移動機１００がアイドル状態に移行すると、セル再選択制御部１１０は、所定の測定サイクルに従ってサービングセルと隣接セルとの通信状態を測定する。上述したように、セル再選択制御部１１０は、各測定機会において６ＲＢ測定部１２０に１．０８ＭＨｚの帯域幅によりサービングセルと隣接セルとの通信状態を測定させる一方、Ｘ回の測定機会のうち１回はシステム帯域幅測定部１３０にシステム帯域幅によりサービングセルと隣接セルとの通信状態を測定させる。このため、測定機会Ｘ回毎に、セル再選択制御部１１０はシステム帯域幅測定部１３０を起動する。
【００２５】
ステップＳ１０３において、セル再選択制御部１１０から測定指示信号を受信すると、システム帯域幅測定部１３０は、システム帯域幅によりサービングセルと隣接セルとの通信状態を測定する。
【００２６】
ステップＳ１０４において、セル再選択判定部１５０は、６ＲＢ測定部１２０及びシステム帯域幅測定部１３０により測定されたサービングセルと隣接セルとの通信状態に基づき、セル再選択を実行するべきか判定する。サービングセルから隣接セルへのセル再選択を実行すべきと判定すると、セル再選択判定部１５０は、セル再選択実行部１６０にセル再選択を実行するよう指示する。このセル再選択指示信号を受信すると、セル再選択実行部１６０は、指定された隣接セルへのセル再選択を実行する。
【００２７】
次に、図４及び５を参照して、本発明の第２実施例による移動機を説明する。本実施例では、１０ＭＨｚのＬＴＥセルにおいて基地局とのＲＲＣ（Ｒａｄｉｏ  Ｒｅｓｏｕｒｃｅ  Ｃｏｎｔｒｏｌ）接続が確立された通信中の移動機が、６リソースブロック（すなわち、１．０８ＭＨｚ）の帯域幅の測定帯域とシステム帯域幅の測定帯域とを所定のサイクルで切替ながら、サービングセル及び隣接セルの通信状態を測定し、測定された通信状態に基づき５ＭＨｚのＬＴＥセル又は３Ｇセルなどの隣接セルへのハンドオーバを実行する。
【００２８】
図４は、本発明の第２実施例による移動機の構成を示すブロック図である。図４に示されるように、本実施例による移動機２００は、ハンドオーバ制御部２１０と、６リソースブロック（ＲＢ）測定部２２０と、システム帯域幅測定部２３０と、記憶部２４０と、ハンドオーバ判定部２５０と、ハンドオーバ実行部２６０とを有する。
【００２９】
ハンドオーバ制御部２１０は、基地局とのＲＲＣ接続が確立された通信中の移動機２００によるハンドオーバ処理全体を制御する。具体的には、ハンドオーバ制御部２１０は、所定の測定サイクルに従って１．０８ＭＨｚの帯域幅によりサービングセルと隣接セルとの通信状態を測定するよう６ＲＢ測定部２２０に指示する。一般に、各移動機は、通信中のサービングセル及び隣接セルの通信状態を所定の測定サイクルにより測定する。
【００３０】
さらに、ハンドオーバ制御部２１０は、定期的に１．０８ＭＨｚより大きなシステム帯域幅でサービングセルと隣接セルとの通信状態を測定するため、設定された測定サイクルにより規定される測定機会の一部においてシステム帯域幅測定部２３０を起動する。例えば、ハンドオーバ制御部２１０は、Ｘ回の測定機会のうち１回においてシステム帯域幅測定部２３０を起動するようにしてもよい。この切替頻度を指定するＸの値は、所定の定数であってもよいし、通信状態などに応じて動的に移動機により設定されてもよい。
【００３１】
６ＲＢ測定部２２０は、ハンドオーバ制御部２１０から測定指示信号を受信すると、６リソースブロック（ＲＢ）に相当する１．０８ＭＨｚの帯域幅によりサービングセルと隣接セルとの通信状態を測定し、測定された通信状態を記憶部２４０に提供する。例えば、６ＲＢ測定部２２０は、サービングセルと隣接セルとの各基地局から送信されるリファレンス信号について、１．０８ＭＨｚの帯域幅におけるリファレンス信号の受信レベルを測定し、測定した受信レベルに基づき受信品質ＲＳＲＱを決定する。測定される１．０８ＭＨｚの帯域は、典型的には、当該測定帯域の中心周波数がサービングセルの中心周波数となるよう設定される。
【００３２】
システム帯域幅測定部２３０は、ハンドオーバ制御部２１０から測定指示信号を受信すると、システム帯域幅によりサービングセルと隣接セルとの通信状態を測定し、測定された通信状態を記憶部２４０に提供する。例えば、システム帯域幅測定部２３０は、サービングセルと隣接セルとの各基地局から送信されるリファレンス信号について、システム帯域全体におけるリファレンス信号の受信レベルを測定し、測定した受信レベルに基づき受信品質ＲＳＲＱを決定する。
【００３３】
記憶部２４０は、６ＲＢ測定部２２０及びシステム帯域幅測定部２３０から提供される通信品質の測定結果と共に、ハンドオーバ処理に用いられる各種データを格納する。また、記憶部２４０は、移動機２００の他の構成要素からの要求に応答して、格納されたデータを提供する。
【００３４】
ハンドオーバ判定部２５０は、６ＲＢ測定部２２０及びシステム帯域幅測定部２３０により測定されたサービングセルと隣接セルとの通信状態に基づき、サービングセルから隣接セルへのハンドオーバを実行するか判定する。サービングセルから隣接セルへのハンドオーバを実行すべきと判断すると、ハンドオーバ判定部２５０は、ハンドオーバ実行部２６０にハンドオーバを実行するよう指示する。ここで、ハンドオーバ判定部２５０は、測定機会Ｘ回毎に測定されるシステム帯域幅や後述される５ＭＨｚの帯域幅などの広帯域の測定結果がハンドオーバ判定に考慮されるようにするため、１．０８ＭＨｚの帯域幅の測定結果と共に、記憶部２４０に格納されている過去のシステム帯域幅や５ＭＨｚの帯域幅の測定結果を参照して、ハンドオーバ判定を実行する。このハンドオーバの適否判定については、いくつかの判定基準が考えられる。１つの判定基準として、ハンドオーバ候補となる隣接セルのＲＳＲＱがサービングセルのＲＳＲＱより所定のオフセット値RSRQRelativeOffset（−５ｄＢｍなど）以上大きい状態がThandover以上の期間継続した場合、隣接セルへのハンドオーバを実行すべきと判断される。また、他の判定基準として、隣接セルのＲＳＲＱが所定の閾値RSRQAbsoluteThreshold（−１７ｄＢｍなど）以上である状態がThandover以上の期間継続した場合、隣接セルへのハンドオーバを実行すべきと判断される。しかしながら、本発明はこれに限定されるものでなく、何れか適切な広帯域による測定結果を利用したハンドオーバ適否基準が適用されてもよい。
【００３５】
ハンドオーバ実行部２６０は、ハンドオーバ判定部２５０からサービングセルから隣接セルへのハンドオーバを実行するよう指示されると、サービングセルの基地局及び隣接セルの基地局とやりとりし、ハンドオーバを実行して当該隣接セルを新たなサービングセルに設定する。
【００３６】
図５は、本発明の第２実施例による移動機のハンドオーバ処理を示すフロー図である。図５に示されるように、ステップＳ２０１において、移動機２００は、１０ＭＨｚのＬＴＥセルに在圏し、当該セルをサービングセルと設定する。
【００３７】
ステップＳ２０２において、移動機２００が基地局とＲＲＣ接続を確立して通信状態に移行すると、ハンドオーバ制御部２１０は、所定の測定サイクルに従ってサービングセルとハンドオーバ候補セルである隣接セルとの通信状態を測定する。上述したように、ハンドオーバ制御部２１０は、各測定機会において６ＲＢ測定部２２０に１．０８ＭＨｚの帯域幅によりサービングセルと隣接セルとの通信状態を測定させる一方、Ｘ回の測定機会のうち１回はシステム帯域幅測定部２３０にシステム帯域幅によりサービングセルと隣接セルとの通信状態を測定させる。このため、測定機会Ｘ回毎に、ハンドオーバ制御部２１０はシステム帯域幅測定部２３０を起動する。
【００３８】
ステップＳ２０３において、ハンドオーバ制御部２１０から測定指示信号を受信すると、システム帯域幅測定部２３０は、システム帯域幅によりサービングセルと隣接セルとの通信状態を測定する。
【００３９】
ステップＳ２０４において、ハンドオーバ判定部２５０は、６ＲＢ測定部２２０及びシステム帯域幅測定部２３０により測定されたサービングセルと隣接セルとの通信品質に基づき、ハンドオーバを実行するべきか判定する。サービングセルから隣接セルへのハンドオーバを実行すべきと判定すると、ハンドオーバ判定部２５０は、ハンドオーバ実行部２６０にハンドオーバを実行するよう指示する。このハンドオーバ指示信号を受信すると、ハンドオーバ実行部２６０は、指定された隣接セルへのハンドオーバを実行する。
【００４０】
次に、図６及び７を参照して、本発明の第３実施例による移動機を説明する。本実施例では、アイドル状態で１０ＭＨｚのＬＴＥセルに在圏する移動機が、６リソースブロック（すなわち、１．０８ＭＨｚ）の帯域幅の測定帯域と、より広帯域な測定帯域幅としてシステム帯域幅又は５ＭＨｚの測定帯域とを所定のサイクルで切替ながら、サービングセル及び隣接セルの通信状態を測定し、測定された通信状態に基づき５ＭＨｚのＬＴＥセル又は３Ｇセルなどの隣接セルへのセル再選択を実行する。ここで、システム帯域幅を測定帯域とするか、又は５ＭＨｚの帯域幅を測定帯域とするかは、移動機のバッテリ残量に応じて決定される。
【００４１】
図６は、本発明の第３実施例による移動機の構成を示すブロック図である。図６に示されるように、本実施例による移動機３００は、セル再選択制御部３１０と、バッテリ残量判定部３１５と、６リソースブロック（ＲＢ）測定部３２０と、５ＭＨｚ幅測定部３２５と、システム帯域幅測定部３３０と、記憶部３４０と、セル再選択判定部３５０と、セル再選択実行部３６０とを有する。
【００４２】
セル再選択制御部３１０は、アイドル状態中の移動機３００によるセル再選択処理全体を制御する。具体的には、セル再選択制御部３１０は、所定の測定サイクルに従って１．０８ＭＨｚの帯域幅によりサービングセルと隣接セルとの通信状態を測定するよう６ＲＢ測定部３２０に指示する。一般に、各移動機では、電力消費を低減させるためアイドル状態において間欠受信（ＤＲＸ）機能が適用可能である。従って、アイドル状態中の移動機３００においてＤＲＸ機能が適用されている場合、セル再選択制御部３１０は、ＤＲＸサイクル長に応じて測定サイクルを設定するようにしてもよい。
【００４３】
さらに、セル再選択制御部３１０は、定期的に１．０８ＭＨｚより大きなシステム帯域幅でサービングセルと隣接セルとの通信状態を測定するため、設定された測定サイクルにより規定される測定機会の一部において５ＭＨｚ幅測定部３２５又はシステム帯域幅測定部３３０を起動する。例えば、セル再選択制御部３１０は、Ｘ回の測定機会のうち１回において５ＭＨｚ帯域幅測定部３２５又はシステム帯域幅測定部３３０を起動するようにしてもよい。この切替頻度を指定するＸの値は、所定の定数であってもよいし、通信状況などに応じて動的に移動機により設定されてもよい。５ＭＨｚ帯域幅測定部３２５とシステム帯域幅測定部３３０との何れを起動するかは、移動機３００のバッテリ残量に基づき決定される。一般に、セル再選択判定では、システム帯域幅の測定結果を利用することが望ましいが、システム帯域幅による測定は大きな消費電力を要する。他方、５ＭＨｚの帯域幅の測定結果を利用しても、許容される精度により干渉を推定できる。従って、移動機３００のバッテリ残量が少ないときは、５ＭＨｚの帯域幅の測定結果を代用して、セル再選択の要否を判定する。
【００４４】
バッテリ残量判定部３１５は、セル再選択制御部３１０からバッテリの残量を判定するよう要求されると、移動機３００のバッテリの残量を検出し、検出した残量が所定の閾値Ｙ％以下であるか判定する。Ｙの値は、所定の定数であってもよいし、通信状況などに応じて動的に移動機により設定されてもよい。検出されたバッテリの残量がＹ％より大きい場合、バッテリ残量判定部３１５は、検出されたバッテリの残量がＹ％より大きいことをセル再選択制御部３１０に通知する。この通知を受信すると、セル再選択制御部３１０は、システム帯域幅を測定するのに十分なバッテリの残量があると判断し、システム帯域幅測定部３３０を起動し、システム帯域幅によりサービングセルと隣接セルとの通信状態を測定させる。他方、検出されたバッテリの残量がＹ％以下である場合、バッテリ残量判定部３１５は、検出されたバッテリの残量がＹ％以下であることをセル再選択制御部３１０に通知する。この通知を受信すると、セル再選択制御部３１０は、システム帯域幅を測定するのに十分なバッテリ残量がないと判断し、５ＭＨｚ幅測定部３２５を起動し、５ＭＨｚの帯域幅によりサービングセルと隣接セルとの通信状態を測定させる。
【００４５】
６ＲＢ測定部３２０は、セル再選択制御部３１０から測定指示信号を受信すると、６リソースブロック（ＲＢ）に相当する１．０８ＭＨｚの帯域幅によりサービングセルと隣接セルとの通信状態を測定し、測定された通信状態を記憶部３４０に提供する。例えば、６ＲＢ測定部３２０は、サービングセルと隣接セルとの各基地局から送信されるリファレンス信号について、１．０８ＭＨｚの帯域幅におけるリファレンス信号の受信レベルを測定し、測定した受信レベルに基づき受信品質ＲＳＲＱを決定する。測定される１．０８ＭＨｚの帯域は、典型的には、当該測定帯域の中心周波数がサービングセルの中心周波数となるよう設定される。
【００４６】
５ＭＨｚ幅測定部３２５は、セル再選択制御部３１０から測定指示信号を受信すると、５ＭＨｚの帯域幅によりサービングセルと隣接セルとの通信状態を測定し、測定された通信状態を記憶部３４０に提供する。例えば、５ＭＨｚ幅測定部３２５は、サービングセルと隣接セルとの各基地局から送信されるリファレンス信号について、５ＭＨｚの帯域幅におけるリファレンス信号の受信レベルを測定し、測定した受信レベルに基づき受信品質ＲＳＲＱを決定する。測定される５ＭＨｚの帯域は、典型的には、当該測定帯域の中心周波数がサービングセルの中心周波数となるよう設定される。
【００４７】
システム帯域幅測定部３３０は、セル再選択制御部３１０から測定指示信号を受信すると、システム帯域幅によりサービングセルと隣接セルとの通信状態を測定し、測定された通信状態を記憶部３４０に提供する。例えば、システム帯域幅測定部３３０は、サービングセルと隣接セルとの各基地局から送信されるリファレンス信号について、システム帯域全体におけるリファレンス信号の受信レベルを測定し、測定した受信レベルに基づき受信品質ＲＳＲＱを決定する。
【００４８】
記憶部３４０は、６ＲＢ測定部３２０、５ＭＨｚ幅測定部３２５及びシステム帯域幅測定部３３０から提供される通信状態の測定結果と共に、セル再選択処理に用いられる各種データを格納する。また、記憶部３４０は、移動機３００の他の構成要素からの要求に応答して、格納されたデータを提供する。
【００４９】
セル再選択判定部３５０は、６ＲＢ測定部３２０、５ＭＨｚ幅測定部３２５及びシステム帯域幅測定部３３０により測定されたサービングセルと隣接セルとの通信状態に基づき、上述したセル再選択の適否判定基準などを用いてサービングセルから隣接セルへのセル再選択を実行するか判定する。サービングセルから隣接セルへのセル再選択を実行すべきと判断すると、セル再選択判定部３５０は、セル再選択実行部３６０にセル再選択を実行するよう指示する。
【００５０】
セル再選択実行部３６０は、セル再選択判定部３５０からサービングセルから隣接セルへのセル再選択を実行するよう指示されると、サービングセルの基地局及び隣接セルの基地局とやりとりし、セル再選択を実行して当該隣接セルを新たなサービングセルに設定する。
【００５１】
図７は、本発明の第３実施例による移動機のセル再選択処理を示すフロー図である。図７に示されるように、ステップＳ３０１において、移動機３００は、１０ＭＨｚのＬＴＥセルに在圏し、当該セルをサービングセルに設定する。
【００５２】
ステップＳ３０２において、移動機１００がアイドル状態に移行すると、セル再選択制御部３１０は、所定の測定サイクルに従ってサービングセルと隣接セルとの通信状態を測定する。上述したように、セル再選択制御部３１０は、各測定機会において６ＲＢ測定部３２０に１．０８ＭＨｚの帯域幅によりサービングセルと隣接セルとの通信状態を測定させる一方、Ｘ回の測定機会のうち１回は５ＭＨｚ幅測定部３２５又はシステム帯域幅測定部３３０に５ＭＨｚの帯域幅又はシステム帯域幅によりサービングセルと隣接セルとの通信状態を測定させる。５ＭＨｚ帯域幅測定部３２５とシステム帯域幅測定部３３０との何れを起動するかは、移動機３００のバッテリ残量に基づき決定される。このため、測定機会Ｘ回毎に、セル再選択制御部３１０はバッテリ残量判定部３１５にバッテリ残量が十分であるか問い合わせ、検出されたバッテリ残量に応じて５ＭＨｚ幅測定部３２５又はシステム帯域幅測定部３３０を起動する。
【００５３】
ステップＳ３０３において、セル再選択制御部３１０から判定指示信号を受信すると、バッテリ残量判定部３１５は、移動機３００のバッテリの残量を検出し、検出した残量が所定の閾値Ｙ％以下であるか判定し、セル再選択制御部３１０に判定結果を通知する。検出した残量がＹ％以下である場合（Ｓ３０３：ＹＥＳ）、セル再選択制御部３１０は、移動機３００のバッテリ残量は十分でないと判断し、５ＭＨｚ幅測定部３２５を起動する。他方、検出した残量がＹ％より大きい場合（Ｓ３０３：ＮＯ）、セル再選択制御部３１０は、移動機３００のバッテリ残量は十分であると判断し、システム帯域幅測定部３３０を起動する。
【００５４】
ステップＳ３０４において、セル再選択制御部３１０から測定指示信号を受信すると、５ＭＨｚ幅測定部３２５は、５ＭＨｚの帯域幅によりサービングセルと隣接セルとの通信状態を測定する。
【００５５】
ステップＳ３０５において、セル再選択制御部３１０から測定指示信号を受信すると、システム帯域幅測定部３３０は、システム帯域幅によりサービングセルと隣接セルとの通信状態を測定する。
【００５６】
ステップＳ３０６において、セル再選択判定部３５０は、６ＲＢ測定部３２０、５ＭＨｚ幅測定部３２５及びシステム帯域幅測定部３３０により測定されたサービングセルと隣接セルとの通信状態に基づき、セル再選択を実行するべきか判定する。サービングセルから隣接セルへのセル再選択を実行すべきと判定すると、セル再選択判定部３５０は、セル再選択実行部３６０にセル再選択を実行するよう指示する。このセル再選択指示信号を受信すると、セル再選択実行部３６０は、指定された隣接セルへのセル再選択を実行する。
【００５７】
次に、図８及び９を参照して、本発明の第４実施例による移動機を説明する。本実施例では、１０ＭＨｚのＬＴＥセルにおいて基地局とのＲＲＣ接続が確立された通信中の移動機が、６リソースブロック（すなわち、１．０８ＭＨｚ）の帯域幅の測定帯域と、より広帯域なシステム帯域幅又は５ＭＨｚの測定帯域とを所定のサイクルで切替ながら、サービングセル及び隣接セルの通信状態を測定し、測定された通信状態に基づき５ＭＨｚのＬＴＥセル又は３Ｇセルなどの隣接セルへのハンドオーバを実行する。ここで、システム帯域幅を測定帯域とするか、又は５ＭＨｚの帯域幅を測定帯域とするかは、移動機のバッテリ残量に応じて決定される。
【００５８】
図８は、本発明の第４実施例による移動機の構成を示すブロック図である。図８に示されるように、本実施例による移動機４００は、ハンドオーバ制御部４１０と、バッテリ残量判定部４１５と、６リソースブロック（ＲＢ）測定部４２０と、５ＭＨｚ幅測定部４２５と、システム帯域幅測定部４３０と、記憶部４４０と、ハンドオーバ判定部４５０と、ハンドオーバ実行部４６０とを有する。
【００５９】
ハンドオーバ制御部４１０は、基地局とのＲＲＣ接続が確立された通信中の移動機４００によるハンドオーバ処理全体を制御する。具体的には、ハンドオーバ制御部４１０は、所定の測定サイクルに従って１．０８ＭＨｚの帯域幅によりサービングセルと隣接セルとの通信状態を測定するよう６ＲＢ測定部４２０に指示する。一般に、各移動機は、通信中のサービングセル及び隣接セルの通信状態を所定の測定サイクルにより測定する。
【００６０】
さらに、ハンドオーバ制御部４１０は、定期的に１．０８ＭＨｚより大きなシステム帯域幅でサービングセルと隣接セルとの通信状態を測定するため、設定された測定サイクルにより規定される測定機会の一部において５ＭＨｚ幅測定部４２５又はシステム帯域幅測定部４３０を起動する。例えば、ハンドオーバ制御部４１０は、Ｘ回の測定機会のうち１回において５ＭＨｚ幅測定部４２５又はシステム帯域幅測定部４３０を起動するようにしてもよい。この切替頻度を指定するＸの値は、所定の定数であってもよいし、通信状況などに応じて動的に移動機により設定されてもよい。５ＭＨｚ帯域幅測定部４２５とシステム帯域幅測定部４３０との何れを起動するかは、移動機４００のバッテリ残量に基づき決定される。一般に、ハンドオーバ判定には、システム帯域幅の測定結果を利用することが望ましいが、システム帯域幅による測定は大きな消費電力を要する。他方、５ＭＨｚの帯域幅の測定結果を利用しても、許容される精度により干渉を推定できる。従って、移動機４００のバッテリ残量が少ないときは、５ＭＨｚの帯域幅の測定結果を代用して、ハンドオーバの要否を判定する。
【００６１】
バッテリ残量判定部４１５は、ハンドオーバ制御部４１０からバッテリの残量を判定するよう要求されると、移動機４００のバッテリの残量を検出し、検出した残量が所定の閾値Ｙ％以下であるか判定する。Ｙの値は、所定の定数であってもよいし、通信状況などに応じて動的に移動機により設定されてもよい。検出されたバッテリの残量がＹ％より大きい場合、バッテリ残量判定部４１５は、検出されたバッテリの残量がＹ％より大きいことをハンドオーバ制御部４１０に通知する。この通知を受信すると、ハンドオーバ制御部４１０は、システム帯域幅を測定するのに十分なバッテリの残量があると判断し、システム帯域幅測定部４３０を起動し、システム帯域幅によりサービングセルと隣接セルとの通信状態を測定させる。他方、検出されたバッテリの残量がＹ％以下である場合、バッテリ残量判定部３１５は、検出されたバッテリの残量がＹ％以下であることをハンドオーバ制御部４１０に通知する。この通知を受信すると、ハンドオーバ制御部４１０は、システム帯域幅を測定するのに十分なバッテリ残量がないと判断し、５ＭＨｚ幅測定部４２５を起動し、５ＭＨｚの帯域幅によりサービングセルと隣接セルとの通信状態を測定させる。
【００６２】
６ＲＢ測定部４２０は、ハンドオーバ制御部４１０から測定指示信号を受信すると、６リソースブロック（ＲＢ）に相当する１．０８ＭＨｚの帯域幅によりサービングセルと隣接セルとの通信状態を測定し、測定された通信状態を記憶部４４０に提供する。例えば、６ＲＢ測定部４２０は、サービングセルと隣接セルとの各基地局から送信されるリファレンス信号について、１．０８ＭＨｚの帯域幅におけるリファレンス信号の受信レベルを測定し、測定した受信レベルに基づき受信品質ＲＳＲＱを決定する。測定される１．０８ＭＨｚの帯域は、典型的には、当該測定帯域の中心周波数がサービングセルの中心周波数となるよう設定される。
【００６３】
５ＭＨｚ幅測定部４２５は、ハンドオーバ制御部４１０から測定指示信号を受信すると、５ＭＨｚの帯域幅によりサービングセルと隣接セルとの通信状態を測定し、測定された通信状態を記憶部４４０に提供する。例えば、５ＭＨｚ幅測定部４２５は、サービングセルと隣接セルとの各基地局から送信されるリファレンス信号について、５ＭＨｚの帯域幅におけるリファレンス信号の受信レベルを測定し、測定した受信レベルに基づき受信品質ＲＳＲＱを決定する。測定される５ＭＨｚの帯域は、典型的には、当該測定帯域の中心周波数がサービングセルの中心周波数となるよう設定される。
【００６４】
システム帯域幅測定部４３０は、ハンドオーバ制御部４１０から測定指示信号を受信すると、システム帯域幅によりサービングセルと隣接セルとの通信状態を測定し、測定された通信状態を記憶部４４０に提供する。例えば、システム帯域幅測定部４３０は、サービングセルと隣接セルとの各基地局から送信されるリファレンス信号について、システム帯域全体におけるリファレンス信号の受信レベルを測定し、測定した受信レベルに基づき受信品質ＲＳＲＱを決定する。
【００６５】
記憶部４４０は、６ＲＢ測定部４２０、５ＭＨｚ幅測定部４２５及びシステム帯域幅測定部４３０から提供される通信状態の測定結果と共に、ハンドオーバ処理に用いられる各種データを格納する。また、記憶部４４０は、移動機４００の他の構成要素からの要求に応答して、格納されたデータを提供する。
【００６６】
ハンドオーバ判定部４５０は、６ＲＢ測定部４２０、５ＭＨｚ幅測定部４２５及びシステム帯域幅測定部４３０により測定されたサービングセルと隣接セルとの通信状態に基づき、上述したハンドオーバの適否判定基準などを用いてサービングセルから隣接セルへのハンドオーバを実行するか判定する。サービングセルから隣接セルへのハンドオーバを実行すべきと判断すると、ハンドオーバ判定部４５０は、ハンドオーバ実行部４６０にハンドオーバを実行するよう指示する。
【００６７】
ハンドオーバ実行部４６０は、ハンドオーバ判定部４５０からサービングセルから隣接セルへのハンドオーバを実行するよう指示されると、サービングセルの基地局及び隣接セルの基地局とやりとりし、ハンドオーバを実行して当該隣接セルを新たなサービングセルに設定する。
【００６８】
図９は、本発明の第４実施例による移動機のハンドオーバ処理を示すフロー図である。図９に示されるように、ステップＳ４０１において、移動機４００は、１０ＭＨｚのＬＴＥセルに在圏し、当該セルをサービングセルに設定する。
【００６９】
ステップＳ４０２において、移動機４００が基地局とＲＲＣ接続を確立して通信状態に移行すると、ハンドオーバ制御部４１０は、所定の測定サイクルに従ってサービングセルとハンドオーバ候補セルである隣接セルとの通信状態を測定する。上述したように、ハンドオーバ制御部４１０は、各測定機会において６ＲＢ測定部４２０に１．０８ＭＨｚの帯域幅によりサービングセルと隣接セルとの通信状態を測定させる一方、Ｘ回の測定機会のうち１回は５ＭＨｚ幅測定部４２５又はシステム帯域幅測定部４３０に５ＭＨｚの帯域幅又はシステム帯域幅によりサービングセルと隣接セルとの通信状態を測定させる。５ＭＨｚ帯域幅測定部４２５とシステム帯域幅測定部４３０との何れを起動するかは、移動機４００のバッテリ残量に基づき決定される。このため、測定機会Ｘ回毎に、ハンドオーバ制御部４１０はバッテリ残量判定部４１５にバッテリ残量が十分であるか問い合わせ、検出されたバッテリ残量に応じて５ＭＨｚ幅測定部４２５又はシステム帯域幅測定部４３０を起動する。
【００７０】
ステップＳ４０３において、ハンドオーバ制御部４１０から判定指示信号を受信すると、バッテリ残量判定部４１５は、移動機４００のバッテリの残量を検出し、検出した残量が所定の閾値Ｙ％以下であるか判定し、ハンドオーバ制御部４１０に判定結果を通知する。検出した残量がＹ％以下である場合（Ｓ４０３：ＹＥＳ）、ハンドオーバ制御部４１０は、移動機４００のバッテリ残量は十分でないと判断し、５ＭＨｚ幅測定部４２５を起動する。他方、検出した残量がＹ％より大きい場合（Ｓ４０３：ＮＯ）、ハンドオーバ制御部４１０は、移動機４００のバッテリ残量は十分であると判断し、システム帯域幅測定部４３０を起動する。
【００７１】
ステップＳ４０４において、ハンドオーバ制御部４１０から測定指示信号を受信すると、５ＭＨｚ幅測定部４２５は、５ＭＨｚの帯域幅によりサービングセルと隣接セルとの通信状態を測定する。
【００７２】
ステップＳ４０５において、ハンドオーバ制御部４１０から測定指示信号を受信すると、システム帯域幅測定部４３０は、システム帯域幅によりサービングセルと隣接セルとの通信状態を測定する。
【００７３】
ステップＳ４０６において、ハンドオーバ判定部４５０は、６ＲＢ測定部４２０、５ＭＨｚ幅測定部４２５及びシステム帯域幅測定部４３０により測定されたサービングセルと隣接セルとの通信品質に基づき、ハンドオーバを実行するべきか判定する。サービングセルから隣接セルへのハンドオーバを実行すべきと判定すると、ハンドオーバ判定部４５０は、ハンドオーバ実行部４６０にハンドオーバを実行するよう指示する。このハンドオーバ指示信号を受信すると、ハンドオーバ実行部４６０は、指定された隣接セルへのハンドオーバを実行する。
【００７４】
次に、図１０及び１１を参照して、本発明の第５実施例による移動機を説明する。本実施例では、アイドル状態で１０ＭＨｚのＬＴＥセルに在圏する移動機が、６リソースブロック（すなわち、１．０８ＭＨｚ）の帯域幅の測定帯域と、より広帯域なシステム帯域幅又は５ＭＨｚの測定帯域とを所定のサイクルで切替ながら、サービングセル及び隣接セルの通信状態を測定し、測定された通信状態に基づき５ＭＨｚのＬＴＥセル又は３Ｇセルなどの隣接セルへのセル再選択を実行する。ここで、システム帯域幅を測定帯域とするか、又は５ＭＨｚの帯域幅を測定帯域とするかは、移動機がバッテリセービングモードに設定されているか否かに応じて決定される。
【００７５】
図１０は、本発明の第５実施例による移動機の構成を示すブロック図である。図１０に示されるように、本実施例による移動機５００は、セル再選択制御部５１０と、バッテリセービングモード判定部５１５と、６リソースブロック（ＲＢ）測定部５２０と、５ＭＨｚ幅測定部５２５と、システム帯域幅測定部５３０と、記憶部５４０と、セル再選択判定部５５０と、セル再選択実行部５６０とを有する。
【００７６】
セル再選択制御部５１０は、アイドル状態中の移動機５００によるセル再選択処理全体を制御する。具体的には、セル再選択制御部５１０は、所定の測定サイクルに従って１．０８ＭＨｚの帯域幅によりサービングセルと隣接セルとの通信状態を測定するよう６ＲＢ測定部５２０に指示する。一般に、各移動機では、電力消費を低減させるためアイドル状態において間欠受信（ＤＲＸ）機能が適用可能である。従って、アイドル状態中の移動機５００においてＤＲＸ機能が適用されている場合、セル再選択制御部５１０は、ＤＲＸサイクル長に応じて測定サイクルを設定するようにしてもよい。
【００７７】
さらに、セル再選択制御部５１０は、定期的に１．０８ＭＨｚより大きなシステム帯域幅でサービングセルと隣接セルとの通信状態を測定するため、設定された測定サイクルにより規定される測定機会の一部において５ＭＨｚ幅測定部５２５又はシステム帯域幅測定部５３０を起動する。例えば、セル再選択制御部５１０は、Ｘ回の測定機会のうち１回において５ＭＨｚ帯域幅測定部５２５又はシステム帯域幅測定部５３０を起動するようにしてもよい。この切替頻度を指定するＸの値は、所定の定数であってもよいし、通信状況などに応じて動的に移動機により設定されてもよい。５ＭＨｚ帯域幅測定部５２５とシステム帯域幅測定部５３０との何れを起動するかは、移動機５００がバッテリセービングモードに設定されているか否かに応じて決定される。一般に、セル再選択判定では、システム帯域幅の測定結果を利用することが望ましいが、システム帯域幅による測定は大きな消費電力を要する。他方、５ＭＨｚの帯域幅の測定結果を利用しても、許容される精度により干渉を推定できる。従って、移動機５００がバッテリセービングモードに設定されている場合は、５ＭＨｚの帯域幅の測定結果を代用して、セル再選択の要否を判定する。
【００７８】
バッテリセービングモード判定部５１５は、セル再選択制御部５１０から移動機５００にバッテリセービングモードが設定されているか判定するよう要求されると、移動機５００に設定されている電力モードがバッテリセービングモードであるか否かを判定する。移動機５００の電力モードは、ユーザにより設定されてもよいし、通信状況に応じて動的に移動機５００により設定されてもよい。バッテリセービングモードが設定されている場合、バッテリセービングモード判定部５１５は、移動機５００がバッテリセービングモードに設定されていることをセル再選択制御部５１０に通知する。この通知を受信すると、セル再選択制御部５１０は、通信状態の測定に要する電力を低減するため、５ＭＨｚ幅測定部５２５を起動し、５ＭＨｚの帯域幅によりサービングセルと隣接セルとの通信状態を測定させる。他方、バッテリセービングモードが設定されていない場合、バッテリセービングモード判定部５１５は、移動機５００がバッテリセービングモードに設定されていないことをセル再選択制御部５１０に通知する。この通知を受信すると、セル再選択制御部５１０は、より精度の高い干渉測定を実行するため、システム帯域幅測定部５３０を起動し、システム帯域幅によりサービングセルと隣接セルとの通信状態を測定させる。
【００７９】
６ＲＢ測定部５２０は、セル再選択制御部５１０から測定指示信号を受信すると、６リソースブロック（ＲＢ）に相当する１．０８ＭＨｚの帯域幅によりサービングセルと隣接セルとの通信状態を測定し、測定された通信状態を記憶部５４０に提供する。例えば、６ＲＢ測定部５２０は、サービングセルと隣接セルとの各基地局から送信されるリファレンス信号について、１．０８ＭＨｚの帯域幅におけるリファレンス信号の受信レベルを測定し、測定した受信レベルに基づき受信品質ＲＳＲＱを決定する。測定される１．０８ＭＨｚの帯域は、典型的には、当該測定帯域の中心周波数がサービングセルの中心周波数となるよう設定される。
【００８０】
５ＭＨｚ幅測定部５２５は、セル再選択制御部５１０から測定指示信号を受信すると、５ＭＨｚの帯域幅によりサービングセルと隣接セルとの通信状態を測定し、測定された通信状態を記憶部５４０に提供する。例えば、５ＭＨｚ幅測定部５２５は、サービングセルと隣接セルとの各基地局から送信されるリファレンス信号について、５ＭＨｚの帯域幅におけるリファレンス信号の受信レベルを測定し、測定した受信レベルに基づき受信品質ＲＳＲＱを決定する。測定される５ＭＨｚの帯域は、典型的には、当該測定帯域の中心周波数がサービングセルの中心周波数となるよう設定される。
【００８１】
システム帯域幅測定部５３０は、セル再選択制御部５１０から測定指示信号を受信すると、システム帯域幅によりサービングセルと隣接セルとの通信状態を測定し、測定された通信状態を記憶部５４０に提供する。例えば、システム帯域幅測定部５３０は、サービングセルと隣接セルとの各基地局から送信されるリファレンス信号について、システム帯域全体におけるリファレンス信号の受信レベルを測定し、測定した受信レベルに基づき受信品質ＲＳＲＱを決定する。
【００８２】
記憶部５４０は、６ＲＢ測定部５２０、５ＭＨｚ幅測定部５２５及びシステム帯域幅測定部５３０から提供される通信品質の測定結果と共に、セル再選択処理に用いられる各種データを格納する。また、記憶部５４０は、移動機５００の他の構成要素からの要求に応答して、格納されたデータを提供する。
【００８３】
セル再選択判定部５５０は、６ＲＢ測定部５２０、５ＭＨｚ幅測定部５２５及びシステム帯域幅測定部５３０により測定されたサービングセルと隣接セルとの通信状態に基づき、上述したセル再選択の適否判定基準などを用いてサービングセルから隣接セルへのセル再選択を実行するか判定する。サービングセルから隣接セルへのセル再選択を実行すべきと判断すると、セル再選択判定部５５０は、セル再選択実行部５６０にセル再選択を実行するよう指示する。
【００８４】
セル再選択実行部５６０は、セル再選択判定部５５０からサービングセルから隣接セルへのセル再選択を実行するよう指示されると、サービングセルの基地局及び隣接セルの基地局とやりとりし、セル再選択を実行して当該隣接セルを新たなサービングセルに設定する。
【００８５】
図１１は、本発明の第５実施例による移動機のセル再選択処理を示すフロー図である。図１１に示されるように、ステップＳ５０１において、移動機５００は、１０ＭＨｚのＬＴＥセルに在圏し、当該セルをサービングセルに設定する。
【００８６】
ステップＳ５０２において、移動機１００がアイドル状態に移行すると、セル再選択制御部５１０は、所定の測定サイクルに従ってサービングセルと隣接セルとの通信状態を測定する。上述したように、セル再選択制御部５１０は、各測定機会において６ＲＢ測定部５２０に１．０８ＭＨｚの帯域幅によりサービングセルと隣接セルとの通信状態を測定させる一方、Ｘ回の測定機会のうち１回は５ＭＨｚ幅測定部５２５又はシステム帯域幅測定部５３０に５ＭＨｚの帯域幅又はシステム帯域幅によりサービングセルと隣接セルとの通信状態を測定させる。５ＭＨｚ帯域幅測定部５２５とシステム帯域幅測定部５３０との何れを起動するかは、移動機５００に設定されている電力モードに応じて決定される。このため、測定機会Ｘ回毎に、セル再選択制御部５１０はバッテリセービングモード判定部５１５に移動機５００がバッテリセービングモードに設定されているか問い合わせ、電力モードがバッテリセービングモードに設定されているか否かに応じて５ＭＨｚ幅測定部５２５又はシステム帯域幅測定部５３０を起動する。
【００８７】
ステップＳ５０３において、セル再選択制御部５１０から判定指示信号を受信すると、バッテリセービングモード判定部５１５は、移動機５００がバッテリセービングモードに設定されているか判定し、セル再選択制御部５１０に判定結果を通知する。移動機５００がバッテリセービングモードに設定されている場合（Ｓ５０３：ＹＥＳ）、セル再選択制御部５１０は、通信状態の測定に要する電力を低減するため、５ＭＨｚ幅測定部５２５を起動する。他方、移動機５００がバッテリセービングモードに設定されていない場合（Ｓ５０３：ＮＯ）、セル再選択制御部５１０は、より精度の高い干渉測定を実行するため、システム帯域幅測定部５３０を起動する。
【００８８】
ステップＳ５０４において、セル再選択制御部５１０から測定指示信号を受信すると、５ＭＨｚ幅測定部５２５は、５ＭＨｚの帯域幅によりサービングセルと隣接セルとの通信状態を測定する。
【００８９】
ステップＳ５０５において、セル再選択制御部５１０から測定指示信号を受信すると、システム帯域幅測定部５３０は、システム帯域幅によりサービングセルと隣接セルとの通信状態を測定する。
【００９０】
ステップＳ５０６において、セル再選択判定部５５０は、６ＲＢ測定部５２０、５ＭＨｚ幅測定部５２５及びシステム帯域幅測定部５３０により測定されたサービングセルと隣接セルとの通信品質に基づき、セル再選択を実行するべきか判定する。サービングセルから隣接セルへのセル再選択を実行すべきと判定すると、セル再選択判定部５５０は、セル再選択実行部５６０にセル再選択を実行するよう指示する。このセル再選択指示信号を受信すると、セル再選択実行部５６０は、指定された隣接セルへのセル再選択を実行する。
【００９１】
次に、図１２及び１３を参照して、本発明の第６実施例による移動機を説明する。本実施例では、１０ＭＨｚのＬＴＥセルにおいて基地局とのＲＲＣ接続が確立された通信状態中の移動機が、６リソースブロック（すなわち、１．０８ＭＨｚ）の帯域幅の測定帯域と、より広帯域なシステム帯域幅又は５ＭＨｚの測定帯域とを所定のサイクルで切替ながら、サービングセル及び隣接セルの通信状態を測定し、測定された通信状態に基づき５ＭＨｚのＬＴＥセル又は３Ｇセルなどの隣接セルへのハンドオーバを実行する。ここで、システム帯域幅を測定帯域とするか、又は５ＭＨｚの帯域幅を測定帯域とするかは、移動機がバッテリセービングモードに設定されているか否かに応じて決定される。
【００９２】
図１２は、本発明の第６実施例による移動機の構成を示すブロック図である。図１２に示されるように、本実施例による移動機６００は、ハンドオーバ制御部６１０と、バッテリセービングモード判定部６１５と、６リソースブロック（ＲＢ）測定部６２０と、５ＭＨｚ幅測定部６２５と、システム帯域幅測定部６３０と、記憶部６４０と、セル再選択判定部６５０と、セル再選択実行部６６０とを有する。
【００９３】
セル再選択制御部６１０は、基地局とのＲＲＣ接続が確立された通信中の移動機６００によるハンドオーバ処理全体を制御する。具体的には、ハンドオーバ制御部６１０は、所定の測定サイクルに従って１．０８ＭＨｚの帯域幅によりサービングセルと隣接セルとの通信状態を測定するよう６ＲＢ測定部６２０に指示する。一般に、各移動機は、通信中のサービングセル及び隣接セルの通信状態を所定の測定サイクルにより測定する。
【００９４】
さらに、ハンドオーバ制御部６１０は、定期的に１．０８ＭＨｚより大きなシステム帯域幅でサービングセルと隣接セルとの通信状態を測定するため、設定された測定サイクルにより規定される測定機会の一部において５ＭＨｚ幅測定部６２５又はシステム帯域幅測定部６３０を起動する。例えば、ハンドオーバ制御部６１０は、Ｘ回の測定機会のうち１回において５ＭＨｚ幅測定部６２５又はシステム帯域幅測定部６３０を起動するようにしてもよい。この切替頻度を指定するＸの値は、所定の定数であってもよいし、通信状況などに応じて動的に移動機により設定されてもよい。５ＭＨｚ帯域幅測定部６２５とシステム帯域幅測定部６３０との何れを起動するかは、移動機６００がバッテリセービングモードに設定されているか否かに応じて決定される。一般に、ハンドオーバ判定では、システム帯域幅の測定結果を利用することが望ましいが、システム帯域幅による測定は大きな消費電力を要する。他方、５ＭＨｚの帯域幅の測定結果を利用しても、許容される精度により干渉を推定できる。従って、移動機６００がバッテリセービングモードに設定されている場合は、５ＭＨｚの帯域幅の測定結果を代用して、ハンドオーバの要否を判定する。
【００９５】
バッテリセービングモード判定部６１５は、ハンドオーバ制御部６１０から移動機６００にバッテリセービングモードが設定されているか判定するよう要求されると、移動機６００に設定されている電力モードがバッテリセービングモードであるか否かを判定する。移動機６００の電力モードは、ユーザにより設定されてもよいし、通信状況に応じて動的に移動機により設定されてもよい。バッテリセービングモードが設定されている場合、バッテリセービングモード判定部６１５は、移動機６００がバッテリセービングモードに設定されていることをハンドオーバ制御部６１０に通知する。この通知を受信すると、ハンドオーバ制御部６１０は、通信状態の測定に要する電力を低減するため、５ＭＨｚ幅測定部６２５を起動し、５ＭＨｚの帯域幅によりサービングセルと隣接セルとの通信状態を測定させる。他方、バッテリセービングモードが設定されていない場合、バッテリセービングモード判定部６１５は、移動機６００がバッテリセービングモードに設定されていないことをハンドオーバ制御部６１０に通知する。この通知を受信すると、ハンドオーバ制御部６１０は、より精度の高い干渉測定を実行するため、システム帯域幅測定部６３０を起動し、システム帯域幅によりサービングセルと隣接セルとの通信状態を測定させる。
【００９６】
６ＲＢ測定部６２０は、ハンドオーバ制御部６１０から測定指示信号を受信すると、６リソースブロック（ＲＢ）に相当する１．０８ＭＨｚの帯域幅によりサービングセルと隣接セルとの通信状態を測定し、測定された通信状態を記憶部６４０に提供する。例えば、６ＲＢ測定部６２０は、サービングセルと隣接セルとの各基地局から送信されるリファレンス信号について、１．０８ＭＨｚの帯域幅におけるリファレンス信号の受信レベルを測定し、測定した受信レベルに基づき受信品質ＲＳＲＱを決定する。測定される１．０８ＭＨｚの帯域は、典型的には、当該測定帯域の中心周波数がサービングセルの中心周波数となるよう設定される。
【００９７】
５ＭＨｚ幅測定部６２５は、ハンドオーバ制御部６１０から測定指示信号を受信すると、５ＭＨｚの帯域幅によりサービングセルと隣接セルとの通信状態を測定し、測定された通信状態を記憶部６４０に提供する。例えば、５ＭＨｚ幅測定部６２５は、サービングセルと隣接セルとの各基地局から送信されるリファレンス信号について、５ＭＨｚの帯域幅におけるリファレンス信号の受信レベルを測定し、測定した受信レベルに基づき受信品質ＲＳＲＱを決定する。測定される５ＭＨｚの帯域は、典型的には、当該測定帯域の中心周波数がサービングセルの中心周波数となるよう設定される。
【００９８】
システム帯域幅測定部６３０は、ハンドオーバ制御部６１０から測定指示信号を受信すると、システム帯域幅によりサービングセルと隣接セルとの通信状態を測定し、測定された通信状態を記憶部６４０に提供する。例えば、システム帯域幅測定部６３０は、サービングセルと隣接セルとの各基地局から送信されるリファレンス信号について、システム帯域全体におけるリファレンス信号の受信レベルを測定し、測定した受信レベルに基づき受信品質ＲＳＲＱを決定する。
【００９９】
記憶部６４０は、６ＲＢ測定部６２０、５ＭＨｚ幅測定部６２５及びシステム帯域幅測定部６３０から提供される通信品質の測定結果と共に、ハンドオーバ処理に用いられる各種データを格納する。また、記憶部６４０は、移動機６００の他の構成要素からの要求に応答して、格納されたデータを提供する。
【０１００】
ハンドオーバ判定部６５０は、６ＲＢ測定部６２０、５ＭＨｚ幅測定部６２５及びシステム帯域幅測定部６３０により測定されたサービングセルと隣接セルとの通信状態に基づき、上述したハンドオーバの適否判定基準などを用いてサービングセルから隣接セルへのハンドオーバを実行するか判定する。サービングセルから隣接セルへのハンドオーバを実行すべきと判断すると、ハンドオーバ判定部６５０は、ハンドオーバ実行部６６０にハンドオーバを実行するよう指示する。
【０１０１】
ハンドオーバ実行部６６０は、ハンドオーバ判定部６５０からサービングセルから隣接セルへのハンドオーバを実行するよう指示されると、サービングセルの基地局及び隣接セルの基地局とやりとりし、ハンドオーバを実行して当該隣接セルを新たなサービングセルに設定する。
【０１０２】
図１３は、本発明の第６実施例による移動機のハンドオーバ処理を示すフロー図である。図１３に示されるように、ステップＳ６０１において、移動機６００は、１０ＭＨｚのＬＴＥセルに在圏し、当該セルをサービングセルに設定する。
【０１０３】
ステップＳ６０２において、移動機６００が基地局とＲＲＣ接続を確立して通信状態に移行すると、ハンドオーバ制御部６１０は、所定の測定サイクルに従ってサービングセルとハンドオーバ候補セルである隣接セルとの通信状態を測定する。上述したように、ハンドオーバ制御部６１０は、各測定機会において６ＲＢ測定部６２０に１．０８ＭＨｚの帯域幅によりサービングセルと隣接セルとの通信状態を測定させる一方、Ｘ回の測定機会のうち１回は５ＭＨｚ幅測定部６２５又はシステム帯域幅測定部６３０に５ＭＨｚの帯域幅又はシステム帯域幅によりサービングセルと隣接セルとの通信状態を測定させる。５ＭＨｚ帯域幅測定部６２５とシステム帯域幅測定部６３０との何れを起動するかは、移動機６００に設定されている電力モードに応じて決定される。このため、測定機会Ｘ回毎に、ハンドオーバ制御部６１０はバッテリセービングモード判定部６１５に移動機６００がバッテリセービングモードに設定されているか問い合わせ、電力モードがバッテリセービングモードに設定されているか否かに応じて５ＭＨｚ幅測定部６２５又はシステム帯域幅測定部６３０を起動する。
【０１０４】
ステップＳ６０３において、ハンドオーバ制御部６１０から判定指示信号を受信すると、バッテリセービングモード判定部６１５は、移動機６００がバッテリセービングモードに設定されているか判定し、ハンドオーバ制御部６１０に判定結果を通知する。移動機６００がバッテリセービングモードに設定されている場合（Ｓ６０３：ＹＥＳ）、ハンドオーバ制御部６１０は、通信状態の測定に要する電力を低減するため、５ＭＨｚ幅測定部６２５を起動する。他方、移動機６００がバッテリセービングモードに設定されていない場合（Ｓ６０３：ＮＯ）、ハンドオーバ制御部６１０は、より精度の高い干渉測定を実行するため、システム帯域幅測定部６３０を起動する。
【０１０５】
ステップＳ６０４において、ハンドオーバ制御部６１０から測定指示信号を受信すると、５ＭＨｚ幅測定部６２５は、５ＭＨｚの帯域幅によりサービングセルと隣接セルとの通信状態を測定する。
【０１０６】
ステップＳ６０５において、ハンドオーバ制御部６１０から測定指示信号を受信すると、システム帯域幅測定部６３０は、システム帯域幅によりサービングセルと隣接セルとの通信状態を測定する。
【０１０７】
ステップＳ６０６において、ハンドオーバ判定部６５０は、６ＲＢ測定部６２０、５ＭＨｚ幅測定部６２５及びシステム帯域幅測定部６３０により測定されたサービングセルと隣接セルとの通信品質に基づき、ハンドオーバを実行するべきか判定する。サービングセルから隣接セルへのハンドオーバを実行すべきと判定すると、ハンドオーバ判定部６５０は、ハンドオーバ実行部６６０にハンドオーバを実行するよう指示する。このハンドオーバ指示信号を受信すると、ハンドオーバ実行部６６０は、指定された隣接セルへのハンドオーバを実行する。
【０１０８】
次に、図１４及び１５を参照して、本発明の第７実施例による移動機を説明する。本実施例では、アイドル状態で１０ＭＨｚのＬＴＥセルに在圏する移動機が、６リソースブロック（すなわち、１．０８ＭＨｚ）の帯域幅の測定帯域と、より広帯域なシステム帯域幅又は５ＭＨｚの測定帯域とを所定のサイクルで切替ながら、サービングセル及び隣接セルの通信状態を測定し、測定された通信状態に基づき５ＭＨｚのＬＴＥセル又は３Ｇセルなどの隣接セルへのセル再選択を実行する。ここで、システム帯域幅を測定帯域とするか、又は５ＭＨｚの帯域幅を測定帯域とするかは、移動機のバッテリ残量と共に、システム帯域幅強制測定モードが設定されているか否かに応じて決定される。このシステム帯域幅強制測定モードが設定されている場合、バッテリ残量に関わらずシステム帯域幅による定期的な測定が強制的に実行される。
【０１０９】
図１４は、本発明の第７実施例による移動機の構成を示すブロック図である。図１４に示されるように、本実施例による移動機７００は、セル再選択制御部７１０と、バッテリ残量判定部７１５と、６リソースブロック（ＲＢ）測定部７２０と、５ＭＨｚ幅測定部７２５と、システム帯域幅測定部７３０と、モード選択部７３５と、記憶部７４０と、セル再選択判定部７５０と、セル再選択実行部７６０とを有する。
【０１１０】
セル再選択制御部７１０は、アイドル状態中の移動機７００によるセル再選択処理全体を制御する。具体的には、セル再選択制御部７１０は、所定の測定サイクルに従って１．０８ＭＨｚの帯域幅によりサービングセルと隣接セルとの通信状態を測定するよう６ＲＢ測定部７２０に指示する。一般に、各移動機では、電力消費を低減させるためアイドル状態において間欠受信（ＤＲＸ）機能が適用可能である。従って、アイドル状態中の移動機７００においてＤＲＸ機能が適用されている場合、セル再選択制御部７１０は、ＤＲＸサイクル長に応じて測定サイクルを設定するようにしてもよい。
【０１１１】
さらに、セル再選択制御部７１０は、定期的に１．０８ＭＨｚより大きな帯域幅でサービングセルと隣接セルとの通信状態を測定するため、設定された測定サイクルにより規定される測定機会の一部において５ＭＨｚ幅測定部７２５又はシステム帯域幅測定部７３０を起動する。例えば、セル再選択制御部７１０は、Ｘ回の測定機会のうち１回において５ＭＨｚ帯域幅測定部７２５又はシステム帯域幅測定部７３０を起動するようにしてもよい。この切替頻度を指定するＸの値は、所定の定数であってもよいし、通信状況などに応じて動的に移動機により設定されてもよい。５ＭＨｚ帯域幅測定部７２５とシステム帯域幅測定部７３０との何れを起動するかは、移動機７００のバッテリ残量と、システム帯域幅強制測定モードが設定されているか否かとに基づき決定される。一般に、セル再選択判定では、システム帯域幅の測定結果を利用することが望ましいが、システム帯域幅による測定は大きな消費電力を要する。他方、５ＭＨｚの帯域幅の測定結果を利用しても、許容される精度により干渉を推定できる。従って、移動機７００のバッテリ残量が少ないときは、５ＭＨｚの帯域幅の測定結果を代用して、セル再選択の要否を判定する。しかしながら、移動機７００のバッテリ残量が少ない場合でも、干渉推定精度を向上させるため、５ＭＨｚの帯域幅による測定機会の一部においてシステム帯域幅を強制的に測定させるよう移動機７００を設定するようにしてもよい（システム帯域幅強制測定モード）。例えば、セル再選択制御部７１０は、５ＭＨｚ帯域幅測定部７２５によるＸ'回の測定機会のうち１回においてシステム帯域幅測定部７３０を起動するようにしてもよい。この場合、設定された測定サイクルにより規定される測定機会ＸＸ'回毎に、強制的にシステム帯域幅によりサービングセルと隣接セルとの通信状態が測定されることになる。ここで、この切替頻度を指定するＸ'の値は、所定の定数であってもよいし、通信状況などに応じて動的に移動機により設定されてもよい。例えば、Ｘ'＝２に設定された場合、Ｘ回のうちの１回の広帯域による測定機会において、５ＭＨｚ幅測定部７２５とシステム帯域幅測定部７３０とが交互に起動されることになる。これにより、バッテリ残量が十分でない場合に、通信状態の測定に要する電力消費を抑えながら、干渉推定精度を向上させることが可能となる。
【０１１２】
バッテリ残量判定部７１５は、セル再選択制御部７１０からバッテリの残量を判定するよう要求されると、移動機７００のバッテリの残量を検出し、検出した残量が所定の閾値Ｙ％以下であるか判定する。Ｙの値は、所定の定数であってもよいし、通信状況などに応じて動的に移動機により設定されてもよい。検出されたバッテリの残量がＹ％より大きい場合、バッテリ残量判定部７１５は、検出されたバッテリの残量がＹ％より大きいことをセル再選択制御部７１０に通知する。この通知を受信すると、セル再選択制御部７１０は、システム帯域幅を測定するのに十分なバッテリの残量があると判断し、システム帯域幅測定部７３０を起動し、システム帯域幅によりサービングセルと隣接セルとの通信状態を測定させる。他方、検出されたバッテリの残量がＹ％以下である場合、バッテリ残量判定部７１５は、検出されたバッテリの残量がＹ％以下であることをセル再選択制御部７１０に通知する。この通知を受信すると、セル再選択制御部７１０は、システム帯域幅を測定するのに十分なバッテリ残量がないと判断すると共に、移動機７００に対してシステム帯域幅強制測定モードが設定されているかモード選択部７３５に問い合わせる。
【０１１３】
モード選択部７３５は、セル再選択制御部７１０から測定モード判定信号を受信すると、移動機７００に対してシステム帯域幅強制測定モードが設定されているか判定し、判定結果をセル再選択制御部７１０に通知する。モード選択部７３５からシステム帯域幅強制測定モードが設定されていると通知されると、セル再選択制御部７１０は、Ｘ'回の広帯域による測定機会のうち（Ｘ'−１）回では５ＭＨｚ幅測定部７２５を起動し、Ｘ'回の広帯域による測定機会のうち１回においてシステム帯域幅測定部７３０を起動する。他方、モード選択部７３５からシステム帯域幅強制測定モードが設定されていないと通知されると、セル再選択制御部７１０は、広帯域による測定機会のすべてで５ＭＨｚ幅測定部７２５を起動する。
【０１１４】
６ＲＢ測定部７２０は、セル再選択制御部７１０から測定指示信号を受信すると、６リソースブロック（ＲＢ）に相当する１．０８ＭＨｚの帯域幅によりサービングセルと隣接セルとの通信状態を測定し、測定された通信状態を記憶部７４０に提供する。例えば、６ＲＢ測定部７２０は、サービングセルと隣接セルとの各基地局から送信されるリファレンス信号について、１．０８ＭＨｚの帯域幅におけるリファレンス信号の受信レベルを測定し、測定した受信レベルに基づき受信品質ＲＳＲＱを決定する。測定される１．０８ＭＨｚの帯域は、典型的には、当該測定帯域の中心周波数がサービングセルの中心周波数となるよう設定される。
【０１１５】
５ＭＨｚ幅測定部７２５は、セル再選択制御部７１０から測定指示信号を受信すると、５ＭＨｚの帯域幅によりサービングセルと隣接セルとの通信状態を測定し、測定された通信状態を記憶部７４０に提供する。例えば、５ＭＨｚ幅測定部７２５は、サービングセルと隣接セルとの各基地局から送信されるリファレンス信号について、５ＭＨｚの帯域幅におけるリファレンス信号の受信レベルを測定し、測定した受信レベルに基づき受信品質ＲＳＲＱを決定する。測定される５ＭＨｚの帯域は、典型的には、当該測定帯域の中心周波数がサービングセルの中心周波数となるよう設定される。
【０１１６】
システム帯域幅測定部７３０は、セル再選択制御部７１０から測定指示信号を受信すると、システム帯域幅によりサービングセルと隣接セルとの通信状態を測定し、測定された通信状態を記憶部７４０に提供する。例えば、システム帯域幅測定部７３０は、サービングセルと隣接セルとの各基地局から送信されるリファレンス信号について、システム帯域全体におけるリファレンス信号の受信レベルを測定し、測定した受信レベルに基づき受信品質ＲＳＲＱを決定する。
【０１１７】
記憶部７４０は、６ＲＢ測定部７２０、５ＭＨｚ幅測定部７２５及びシステム帯域幅測定部７３０から提供される通信品質の測定結果と共に、セル再選択処理に用いられる各種データを格納する。また、記憶部７４０は、移動機７００の他の構成要素からの要求に応答して、格納されたデータを提供する。
【０１１８】
セル再選択判定部７５０は、６ＲＢ測定部７２０、５ＭＨｚ幅測定部７２５及びシステム帯域幅測定部７３０により測定されたサービングセルと隣接セルとの通信状態に基づき、上述したセル再選択の適否判定基準などを用いてサービングセルから隣接セルへのセル再選択を実行するか判定する。サービングセルから隣接セルへのセル再選択を実行すべきと判断すると、セル再選択判定部７５０は、セル再選択実行部７６０にセル再選択を実行するよう指示する。
【０１１９】
セル再選択実行部７６０は、セル再選択判定部７５０からサービングセルから隣接セルへのセル再選択を実行するよう指示されると、サービングセルの基地局及び隣接セルの基地局とやりとりし、セル再選択を実行して当該隣接セルを新たなサービングセルに設定する。
【０１２０】
図１４は、本発明の第７実施例による移動機のセル再選択処理を示すフロー図である。図１４に示されるように、ステップＳ７０１において、移動機７００は、１０ＭＨｚのＬＴＥセルに在圏し、当該セルをサービングセルに設定する。
【０１２１】
ステップＳ７０２において、移動機７００がアイドル状態に移行すると、セル再選択制御部７１０は、所定の測定サイクルに従ってサービングセルと隣接セルとの通信状態を測定する。上述したように、セル再選択制御部７１０は、各測定機会において６ＲＢ測定部７２０に１．０８ＭＨｚの帯域幅によりサービングセルと隣接セルとの通信状態を測定させる一方、Ｘ回の測定機会のうち１回は５ＭＨｚ幅測定部７２５又はシステム帯域幅測定部７３０に５ＭＨｚの帯域幅又はシステム帯域幅によりサービングセルと隣接セルとの通信状態を測定させる。５ＭＨｚ帯域幅測定部７２５とシステム帯域幅測定部７３０との何れを起動するかは、移動機７００のバッテリ残量と、移動機７００に対してシステム帯域幅強制測定モードが設定されているか否かとに応じて決定される。このため、測定機会Ｘ回毎に、セル再選択制御部７１０はバッテリ残量判定部７１５にバッテリ残量が十分であるか問い合わせる。
【０１２２】
ステップＳ７０３において、セル再選択制御部７１０から判定指示信号を受信すると、バッテリ残量判定部７１５は、移動機７００のバッテリの残量を検出し、検出した残量が所定の閾値Ｙ％以下であるか判定し、セル再選択制御部７１０に判定結果を通知する。検出した残量がＹ％以下である場合（Ｓ７０３：ＹＥＳ）、セル再選択制御部７１０はさらに、モード選択部７３５にシステム帯域幅強制測定モードが設定されているか問い合わせる。他方、検出した残量がＹ％より大きい場合（Ｓ７０３：ＮＯ）、セル再選択制御部７１０は、移動機７００のバッテリ残量は十分であると判断し、システム帯域幅測定部７３０を起動する。
【０１２３】
ステップＳ７０４において、モード選択部７３５は、セル再選択制御部７１０から測定モード判定信号を受信すると、移動機７００に対してシステム帯域幅強制測定モードが設定されているか判定し、判定結果をセル再選択制御部７１０に通知する。システム帯域幅強制測定モードが設定されていない場合（Ｓ７０４：Ｍｏｄｅ  １）、セル再選択制御部７１０は、すべての広帯域測定機会において５ＭＨｚ幅測定部７２５を起動する。他方、システム帯域幅強制測定モードが設定されている場合（Ｓ７０４：Ｍｏｄｅ  ２）、セル再選択制御部７１０は、広帯域測定機会Ｘ'回毎にシステム帯域幅測定部７３０を起動する。
【０１２４】
ステップＳ７０５において、セル再選択制御部７１０から測定指示信号を受信すると、システム帯域幅測定部７３０は、システム帯域幅によりサービングセルと隣接セルとの通信状態を測定する。
【０１２５】
ステップＳ７０６において、セル再選択制御部７１０から測定指示信号を受信すると、５ＭＨｚ幅測定部７２５は、５ＭＨｚの帯域幅によりサービングセルと隣接セルとの通信状態を測定する。
【０１２６】
ステップＳ７０７において、セル再選択制御部７１０から測定指示信号を受信すると、システム帯域幅測定部７３０は、システム帯域幅によりサービングセルと隣接セルとの通信状態を測定する。
【０１２７】
ステップＳ７０８において、セル再選択判定部７５０は、６ＲＢ測定部７２０、５ＭＨｚ幅測定部７２５及びシステム帯域幅測定部７３０により測定されたサービングセルと隣接セルとの通信品質に基づき、セル再選択を実行するべきか判定する。サービングセルから隣接セルへのセル再選択を実行すべきと判定すると、セル再選択判定部７５０は、セル再選択実行部７６０にセル再選択を実行するよう指示する。このセル再選択指示信号を受信すると、セル再選択実行部７６０は、指定された隣接セルへのセル再選択を実行する。
【０１２８】
次に、図１６及び１７を参照して、本発明の第８実施例による移動機を説明する。本実施例では、１０ＭＨｚのＬＴＥセルにおいて基地局とのＲＲＣ接続が確立された通信状態中の移動機が、６リソースブロック（すなわち、１．０８ＭＨｚ）の帯域幅の測定帯域と、より広帯域なシステム帯域幅又は５ＭＨｚの測定帯域とを所定のサイクルで切替ながら、サービングセル及び隣接セルの通信状態を測定し、測定された通信状態に基づき５ＭＨｚのＬＴＥセル又は３Ｇセルなどの隣接セルへのハンドオーバを実行する。ここで、システム帯域幅を測定帯域とするか、又は５ＭＨｚの帯域幅を測定帯域とするかは、移動機のバッテリ残量と共に、システム帯域幅強制測定モードが設定されているか否かに応じて決定される。このシステム帯域幅強制測定モードが設定されている場合、バッテリ残量に関わらずシステム帯域幅による定期的な測定が強制的に実行される。
【０１２９】
図１６は、本発明の第８実施例による移動機の構成を示すブロック図である。図１６に示されるように、本実施例による移動機８００は、ハンドオーバ制御部８１０と、バッテリ残量判定部８１５と、６リソースブロック（ＲＢ）測定部８２０と、５ＭＨｚ幅測定部８２５と、システム帯域幅測定部８３０と、モード選択部８３５と、記憶部８４０と、ハンドオーバ判定部８５０と、ハンドオーバ実行部８６０とを有する。
【０１３０】
ハンドオーバ制御部８１０は、基地局とのＲＲＣ接続が確立された通信中の移動機８００によるハンドオーバ処理全体を制御する。具体的には、ハンドオーバ制御部８１０は、所定の測定サイクルに従って１．０８ＭＨｚの帯域幅によりサービングセルと隣接セルとの通信状態を測定するよう６ＲＢ測定部８２０に指示する。一般に、各移動機は、通信中のサービングセル及び隣接セルの通信状態を所定の測定サイクルにより測定する。
【０１３１】
さらに、ハンドオーバ制御部８１０は、定期的に１．０８ＭＨｚより大きな帯域幅でサービングセルと隣接セルとの通信状態を測定するため、設定された測定サイクルにより規定される測定機会の一部において５ＭＨｚ幅測定部８２５又はシステム帯域幅測定部８３０を起動する。例えば、ハンドオーバ制御部８１０は、Ｘ回の測定機会のうち１回において５ＭＨｚ帯域幅測定部８２５又はシステム帯域幅測定部８３０を起動するようにしてもよい。この切替頻度を指定するＸの値は、所定の定数であってもよいし、通信状況などに応じて動的に移動機により設定されてもよい。５ＭＨｚ帯域幅測定部８２５とシステム帯域幅測定部８３０との何れを起動するかは、移動機８００のバッテリ残量と、システム帯域幅強制測定モードが設定されているか否かとに基づき決定される。一般に、ハンドオーバ判定では、システム帯域幅の測定結果を利用することが望ましいが、システム帯域幅による測定は大きな消費電力を要する。他方、５ＭＨｚの帯域幅の測定結果を利用しても、許容される精度により干渉を推定できる。従って、移動機８００のバッテリ残量が少ないときは、５ＭＨｚの帯域幅の測定結果を代用して、ハンドオーバの要否を判定する。しかしながら、移動機８００のバッテリ残量が少ない場合でも、干渉推定精度を向上させるため、５ＭＨｚの帯域幅による測定機会の一部においてシステム帯域幅を強制的に測定させるよう移動機８００を設定するようにしてもよい（システム帯域幅強制測定モード）。例えば、ハンドオーバ制御部８１０は、５ＭＨｚ帯域幅測定部８２５によるＸ'回の測定機会のうち１回においてシステム帯域幅測定部８３０を起動するようにしてもよい。この場合、設定された測定サイクルにより規定される測定機会ＸＸ'回毎に、強制的にシステム帯域幅によりサービングセルと隣接セルとの通信状態が測定されることになる。ここで、この切替頻度を指定するＸ'の値は、所定の定数であってもよいし、通信状況などに応じて動的に移動機により設定されてもよい。例えば、Ｘ'＝２に設定された場合、Ｘ回のうちの１回の広帯域による測定機会において、５ＭＨｚ幅測定部８２５とシステム帯域幅測定部８３０とが交互に起動されることになる。これにより、バッテリ残量が十分でない場合に、通信状態の測定に要する電力消費を抑えながら、干渉推定精度を向上させることが可能となる。
【０１３２】
バッテリ残量判定部８１５は、ハンドオーバ制御部８１０からバッテリの残量を判定するよう要求されると、移動機８００のバッテリの残量を検出し、検出した残量が所定の閾値Ｙ％以下であるか判定する。Ｙの値は、所定の定数であってもよいし、通信状況などに応じて動的に移動機により設定されてもよい。検出されたバッテリの残量がＹ％より大きい場合、バッテリ残量判定部８１５は、検出されたバッテリの残量がＹ％より大きいことをハンドオーバ制御部８１０に通知する。この通知を受信すると、ハンドオーバ制御部８１０は、システム帯域幅を測定するのに十分なバッテリの残量があると判断し、システム帯域幅測定部８３０を起動し、システム帯域幅によりサービングセルと隣接セルとの通信状態を測定させる。他方、検出されたバッテリの残量がＹ％以下である場合、バッテリ残量判定部８１５は、検出されたバッテリの残量がＹ％以下であることをハンドオーバ制御部８１０に通知する。この通知を受信すると、ハンドオーバ制御部８１０は、システム帯域幅を測定するのに十分なバッテリ残量がないと判断すると共に、移動機８００に対してシステム帯域幅強制測定モードが設定されているかモード選択部８３５に問い合わせる。
【０１３３】
モード選択部８３５は、ハンドオーバ制御部８１０から測定モード判定信号を受信すると、移動機８００に対してシステム帯域幅強制測定モードが設定されているか判定し、判定結果をハンドオーバ制御部８１０に通知する。モード選択部８３５からシステム帯域幅強制測定モードが設定されていると通知されると、ハンドオーバ制御部８１０は、Ｘ'回の広帯域による測定機会のうち（Ｘ'−１）回では５ＭＨｚ幅測定部８２５を起動し、Ｘ'回の広帯域による測定機会のうち１回においてシステム帯域幅測定部８３０を起動する。他方、モード選択部８３５からシステム帯域幅強制測定モードが設定されていないと通知されると、ハンドオーバ制御部８１０は、広帯域による測定機会のすべてで５ＭＨｚ幅測定部８２５を起動する。
【０１３４】
６ＲＢ測定部８２０は、ハンドオーバ制御部８１０から測定指示信号を受信すると、６リソースブロック（ＲＢ）に相当する１．０８ＭＨｚの帯域幅によりサービングセルと隣接セルとの通信状態を測定し、測定された通信状態を記憶部８４０に提供する。例えば、６ＲＢ測定部８２０は、サービングセルと隣接セルとの各基地局から送信されるリファレンス信号について、１．０８ＭＨｚの帯域幅におけるリファレンス信号の受信レベルを測定し、測定した受信レベルに基づき受信品質ＲＳＲＱを決定する。測定される１．０８ＭＨｚの帯域は、典型的には、当該測定帯域の中心周波数がサービングセルの中心周波数となるよう設定される。
【０１３５】
５ＭＨｚ幅測定部８２５は、ハンドオーバ制御部８１０から測定指示信号を受信すると、５ＭＨｚの帯域幅によりサービングセルと隣接セルとの通信状態を測定し、測定された通信状態を記憶部８４０に提供する。例えば、５ＭＨｚ幅測定部８２５は、サービングセルと隣接セルとの各基地局から送信されるリファレンス信号について、５ＭＨｚの帯域幅におけるリファレンス信号の受信レベルを測定し、測定した受信レベルに基づき受信品質ＲＳＲＱを決定する。測定される５ＭＨｚの帯域は、典型的には、当該測定帯域の中心周波数がサービングセルの中心周波数となるよう設定される。
【０１３６】
システム帯域幅測定部８３０は、ハンドオーバ制御部８１０から測定指示信号を受信すると、システム帯域幅によりサービングセルと隣接セルとの通信状態を測定し、測定された通信状態を記憶部８４０に提供する。例えば、システム帯域幅測定部８３０は、サービングセルと隣接セルとの各基地局から送信されるリファレンス信号について、システム帯域全体におけるリファレンス信号の受信レベルを測定し、測定した受信レベルに基づき受信品質ＲＳＲＱを決定する。
【０１３７】
記憶部８４０は、６ＲＢ測定部８２０、５ＭＨｚ幅測定部８２５及びシステム帯域幅測定部８３０から提供される通信品質の測定結果と共に、ハンドオーバ処理に用いられる各種データを格納する。また、記憶部８４０は、移動機８００の他の構成要素からの要求に応答して、格納されたデータを提供する。
【０１３８】
ハンドオーバ判定部８５０は、６ＲＢ測定部８２０、５ＭＨｚ幅測定部８２５及びシステム帯域幅測定部８３０により測定されたサービングセルと隣接セルとの通信状態に基づき、上述したハンドオーバの適否判定基準などを用いてサービングセルから隣接セルへのハンドオーバを実行するか判定する。サービングセルから隣接セルへのハンドオーバを実行すべきと判断すると、ハンドオーバ判定部８５０は、ハンドオーバ実行部８６０にハンドオーバを実行するよう指示する。
【０１３９】
ハンドオーバ実行部８６０は、ハンドオーバ判定部８５０からサービングセルから隣接セルへのハンドオーバを実行するよう指示されると、サービングセルの基地局及び隣接セルの基地局とやりとりし、ハンドオーバを実行して当該隣接セルを新たなサービングセルに設定する。
【０１４０】
図１７は、本発明の第８実施例による移動機のハンドオーバ処理を示すフロー図である。図１７に示されるように、ステップＳ８０１において、移動機８００は、１０ＭＨｚのＬＴＥセルに在圏し、当該セルをサービングセルに設定する。
【０１４１】
ステップＳ８０２において、移動機８００が基地局とＲＲＣ接続を確立して通信状態に移行すると、ハンドオーバ制御部８１０は、所定の測定サイクルに従ってサービングセルとハンドオーバ候補セルである隣接セルとの通信状態を測定する。上述したように、ハンドオーバ制御部８１０は、各測定機会において６ＲＢ測定部８２０に１．０８ＭＨｚの帯域幅によりサービングセルと隣接セルとの通信状態を測定させる一方、Ｘ回の測定機会のうち１回は５ＭＨｚ幅測定部８２５又はシステム帯域幅測定部８３０に５ＭＨｚの帯域幅又はシステム帯域幅によりサービングセルと隣接セルとの通信状態を測定させる。５ＭＨｚ帯域幅測定部８２５とシステム帯域幅測定部８３０との何れを起動するかは、移動機８００のバッテリ残量と、移動機８００に対してシステム帯域幅強制測定モードが設定されているか否かとに応じて決定される。このため、測定機会Ｘ回毎に、ハンドオーバ制御部８１０はバッテリ残量判定部８１５にバッテリ残量が十分であるか問い合わせる。
【０１４２】
ステップＳ８０３において、ハンドオーバ制御部８１０から判定指示信号を受信すると、バッテリ残量判定部８１５は、移動機８００のバッテリの残量を検出し、検出した残量が所定の閾値Ｙ％以下であるか判定し、ハンドオーバ制御部８１０に判定結果を通知する。検出した残量がＹ％以下である場合（Ｓ８０３：ＹＥＳ）、ハンドオーバ制御部８１０はさらに、モード選択部８３５にシステム帯域幅強制測定モードが設定されているか問い合わせる。他方、検出した残量がＹ％より大きい場合（Ｓ８０３：ＮＯ）、ハンドオーバ制御部８１０は、移動機８００のバッテリ残量は十分であると判断し、システム帯域幅測定部８３０を起動する。
【０１４３】
ステップＳ８０４において、モード選択部８３５は、セル再選択制御部８１０から測定モード判定信号を受信すると、移動機８００に対してシステム帯域幅強制測定モードが設定されているか判定し、判定結果をハンドオーバ制御部８１０に通知する。システム帯域幅強制測定モードが設定されていない場合（Ｓ８０４：Ｍｏｄｅ  １）、ハンドオーバ制御部８１０は、すべての広帯域測定機会において５ＭＨｚ幅測定部８２５を起動する。他方、システム帯域幅強制測定モードが設定されている場合（Ｓ８０４：Ｍｏｄｅ  ２）、ハンドオーバ制御部８１０は、広帯域測定機会Ｘ'回毎にシステム帯域幅測定部８３０を起動する。
【０１４４】
ステップＳ８０５において、ハンドオーバ制御部８１０から測定指示信号を受信すると、システム帯域幅測定部８３０は、システム帯域幅によりサービングセルと隣接セルとの通信状態を測定する。
【０１４５】
ステップＳ８０６において、ハンドオーバ制御部８１０から測定指示信号を受信すると、５ＭＨｚ幅測定部８２５は、５ＭＨｚの帯域幅によりサービングセルと隣接セルとの通信状態を測定する。
【０１４６】
ステップＳ８０７において、ハンドオーバ制御部８１０から測定指示信号を受信すると、システム帯域幅測定部８３０は、システム帯域幅によりサービングセルと隣接セルとの通信状態を測定する。
【０１４７】
ステップＳ８０８において、ハンドオーバ判定部８５０は、６ＲＢ測定部８２０、５ＭＨｚ幅測定部８２５及びシステム帯域幅測定部８３０により測定されたサービングセルと隣接セルとの通信品質に基づき、ハンドオーバを実行するべきか判定する。サービングセルから隣接セルへのハンドオーバを実行すべきと判定すると、ハンドオーバ判定部８５０は、ハンドオーバ実行部８６０にハンドオーバを実行するよう指示する。このハンドオーバ指示信号を受信すると、ハンドオーバ実行部８６０は、指定された隣接セルへのハンドオーバを実行する。
【０１４８】
次に、図１８及び１９を参照して、本発明の第９実施例による移動機を説明する。本実施例では、アイドル状態で１０ＭＨｚのＬＴＥセルに在圏する移動機が、６リソースブロック（すなわち、１．０８ＭＨｚ）の帯域幅の測定帯域と、より広帯域なシステム帯域幅又は５ＭＨｚの測定帯域とを所定のサイクルで切替ながら、サービングセル及び隣接セルの通信状態を測定し、測定された通信状態に基づき５ＭＨｚのＬＴＥセル又は３Ｇセルなどの隣接セルへのセル再選択を実行する。ここで、システム帯域幅を測定帯域とするか、又は５ＭＨｚの帯域幅を測定帯域とするかは、バッテリセービングモードが設定されているか否かと共に、システム帯域幅強制測定モードが設定されているか否かに応じて決定される。このシステム帯域幅強制測定モードが設定されている場合、バッテリセービングモードの設定に関わらずシステム帯域幅による定期的な測定が強制的に実行される。
【０１４９】
図１８は、本発明の第９実施例による移動機の構成を示すブロック図である。図１８に示されるように、本実施例による移動機９００は、セル再選択制御部９１０と、バッテリセービングモード判定部９１５と、６リソースブロック（ＲＢ）測定部９２０と、５ＭＨｚ幅測定部９２５と、システム帯域幅測定部９３０と、モード選択部９３５と、記憶部９４０と、セル再選択判定部９５０と、セル再選択実行部９６０とを有する。
【０１５０】
セル再選択制御部９１０は、アイドル状態中の移動機９００によるセル再選択処理全体を制御する。具体的には、セル再選択制御部９１０は、所定の測定サイクルに従って１．０８ＭＨｚの帯域幅によりサービングセルと隣接セルとの通信状態を測定するよう６ＲＢ測定部９２０に指示する。一般に、各移動機では、電力消費を低減させるためアイドル状態において間欠受信（ＤＲＸ）機能が適用可能である。従って、アイドル状態中の移動機９００においてＤＲＸ機能が適用されている場合、セル再選択制御部９１０は、ＤＲＸサイクル長に応じて測定サイクルを設定するようにしてもよい。
【０１５１】
さらに、セル再選択制御部９１０は、定期的に１．０８ＭＨｚより大きな帯域幅でサービングセルと隣接セルとの通信状態を測定するため、設定された測定サイクルにより規定される測定機会の一部において５ＭＨｚ幅測定部９２５又はシステム帯域幅測定部９３０を起動する。例えば、セル再選択制御部９１０は、Ｘ回の測定機会のうち１回において５ＭＨｚ帯域幅測定部９２５又はシステム帯域幅測定部９３０を起動するようにしてもよい。この切替頻度を指定するＸの値は、所定の定数であってもよいし、通信状況などに応じて動的に移動機により設定されてもよい。５ＭＨｚ帯域幅測定部９２５とシステム帯域幅測定部９３０との何れを起動するかは、移動機９００にバッテリセービングモードが設定されているか否かと、システム帯域幅強制測定モードが設定されているか否かとに基づき決定される。一般に、セル再選択判定では、システム帯域幅の測定結果を利用することが望ましいが、システム帯域幅による測定は大きな消費電力を要する。他方、５ＭＨｚの帯域幅の測定結果を利用しても、許容される精度により干渉を推定できる。従って、移動機９００がバッテリセービングモードに設定されているときは、５ＭＨｚの帯域幅の測定結果を代用して、セル再選択の要否を判定する。しかしながら、移動機９００がバッテリセービングモードに設定されている場合でも、干渉推定精度を向上させるため、５ＭＨｚの帯域幅による測定機会の一部においてシステム帯域幅を強制的に測定させるよう移動機９００を設定するようにしてもよい（システム帯域幅強制測定モード）。例えば、セル再選択制御部９１０は、５ＭＨｚ帯域幅測定部９２５によるＸ'回の測定機会のうち１回においてシステム帯域幅測定部８３０を起動するようにしてもよい。この場合、設定された測定サイクルにより規定される測定機会ＸＸ'回毎に、強制的にシステム帯域幅によりサービングセルと隣接セルとの通信状態が測定されることになる。ここで、この切替頻度を指定するＸ'の値は、所定の定数であってもよいし、通信状況などに応じて動的に移動機により設定されてもよい。例えば、Ｘ'＝２に設定された場合、Ｘ回のうちの１回の広帯域の測定機会において、５ＭＨｚ幅測定部９２５とシステム帯域幅測定部９３０とが交互に起動されることになる。これにより、バッテリセービングモードに設定されている場合に、通信状態の測定に要する電力消費を抑えながら、干渉推定精度を向上させることが可能となる。
【０１５２】
バッテリセービングモード判定部９１５は、セル再選択制御部９１０から移動機９００にバッテリセービングモードが設定されているか判定するよう要求されると、移動機９００に設定されている電力モードがバッテリセービングモードであるか否かを判定する。移動機９００の電力モードは、ユーザにより設定されてもよいし、通信状況に応じて動的に移動機により設定されてもよい。バッテリセービングモードが設定されていない場合、バッテリセービングモード判定部９１５は、移動機９００がバッテリセービングモードに設定されていないことをセル再選択制御部９１０に通知する。この通知を受信すると、セル再選択制御部９１０は、より精度の高い干渉測定を実行するため、システム帯域幅測定部９３０を起動し、システム帯域幅によりサービングセルと隣接セルとの通信状態を測定させる。他方、バッテリセービングモードが設定されている場合、バッテリセービングモード判定部９１５は、移動機９００がバッテリセービングモードに設定されていることをセル再選択制御部９１０に通知する。この通知を受信すると、セル再選択制御部９１０はさらに、移動機９００に対してシステム帯域幅強制測定モードが設定されているかモード選択部９３５に問い合わせる。
【０１５３】
モード選択部９３５は、セル再選択制御部９１０から測定モード判定信号を受信すると、移動機９００に対してシステム帯域幅強制測定モードが設定されているか判定し、判定結果をセル再選択制御部９１０に通知する。モード選択部９３５からシステム帯域幅強制測定モードが設定されていると通知されると、セル再選択制御部９１０は、Ｘ'回の広帯域による測定機会のうち（Ｘ'−１）回では５ＭＨｚ幅測定部９２５を起動し、Ｘ'回の広帯域による測定機会のうち１回においてシステム帯域幅測定部９３０を起動する。他方、モード選択部９３５からシステム帯域幅強制測定モードが設定されていないと通知されると、セル再選択制御部９１０は、広帯域による測定機会のすべてで５ＭＨｚ幅測定部９２５を起動する。
【０１５４】
６ＲＢ測定部９２０は、セル再選択制御部９１０から測定指示信号を受信すると、６リソースブロック（ＲＢ）に相当する１．０８ＭＨｚの帯域幅によりサービングセルと隣接セルとの通信状態を測定し、測定された通信状態を記憶部９４０に提供する。例えば、６ＲＢ測定部９２０は、サービングセルと隣接セルとの各基地局から送信されるリファレンス信号について、１．０８ＭＨｚの帯域幅におけるリファレンス信号の受信レベルを測定し、測定した受信レベルに基づき受信品質ＲＳＲＱを決定する。測定される１．０８ＭＨｚの帯域は、典型的には、当該測定帯域の中心周波数がサービングセルの中心周波数となるよう設定される。
【０１５５】
５ＭＨｚ幅測定部９２５は、セル再選択制御部９１０から測定指示信号を受信すると、５ＭＨｚの帯域幅によりサービングセルと隣接セルとの通信状態を測定し、測定された通信状態を記憶部９４０に提供する。例えば、５ＭＨｚ幅測定部９２５は、サービングセルと隣接セルとの各基地局から送信されるリファレンス信号について、５ＭＨｚの帯域幅におけるリファレンス信号の受信レベルを測定し、測定した受信レベルに基づき受信品質ＲＳＲＱを決定する。測定される５ＭＨｚの帯域は、典型的には、当該測定帯域の中心周波数がサービングセルの中心周波数となるよう設定される。
【０１５６】
システム帯域幅測定部９３０は、セル再選択制御部９１０から測定指示信号を受信すると、システム帯域幅によりサービングセルと隣接セルとの通信状態を測定し、測定された通信状態を記憶部９４０に提供する。例えば、システム帯域幅測定部９３０は、サービングセルと隣接セルとの各基地局から送信されるリファレンス信号について、システム帯域全体におけるリファレンス信号の受信レベルを測定し、測定した受信レベルに基づき受信品質ＲＳＲＱを決定する。
【０１５７】
記憶部９４０は、６ＲＢ測定部９２０、５ＭＨｚ幅測定部９２５及びシステム帯域幅測定部９３０から提供される通信品質の測定結果と共に、セル再選択処理に用いられる各種データを格納する。また、記憶部９４０は、移動機９００の他の構成要素からの要求に応答して、格納されたデータを提供する。
【０１５８】
セル再選択判定部９５０は、６ＲＢ測定部９２０、５ＭＨｚ幅測定部９２５及びシステム帯域幅測定部９３０により測定されたサービングセルと隣接セルとの通信状態に基づき、上述したセル再選択の適否判定基準などを用いてサービングセルから隣接セルへのセル再選択を実行するか判定する。サービングセルから隣接セルへのセル再選択を実行すべきと判断すると、セル再選択判定部９５０は、セル再選択実行部９６０にセル再選択を実行するよう指示する。
【０１５９】
セル再選択実行部９６０は、セル再選択判定部９５０からサービングセルから隣接セルへのセル再選択を実行するよう指示されると、サービングセルの基地局及び隣接セルの基地局とやりとりし、セル再選択を実行して当該隣接セルを新たなサービングセルに設定する。
【０１６０】
図１９は、本発明の第９実施例による移動機のセル再選択処理を示すフロー図である。図１９に示されるように、ステップＳ９０１において、移動機９００は、１０ＭＨｚのＬＴＥセルに在圏し、当該セルをサービングセルに設定する。
【０１６１】
ステップＳ９０２において、移動機９００がアイドル状態に移行すると、セル再選択制御部９１０は、所定の測定サイクルに従ってサービングセルと隣接セルとの通信状態を測定する。上述したように、セル再選択制御部９１０は、各測定機会において６ＲＢ測定部９２０に１．０８ＭＨｚの帯域幅によりサービングセルと隣接セルとの通信状態を測定させる一方、Ｘ回の測定機会のうち１回は５ＭＨｚ幅測定部９２５又はシステム帯域幅測定部９３０に５ＭＨｚの帯域幅又はシステム帯域幅によりサービングセルと隣接セルとの通信状態を測定させる。５ＭＨｚ帯域幅測定部９２５とシステム帯域幅測定部９３０との何れを起動するかは、移動機９００に対してバッテリセービングモードが設定されているか否かと、移動機９００に対してシステム帯域幅強制測定モードが設定されているか否かとに応じて決定される。このため、測定機会Ｘ回毎に、セル再選択制御部９１０はバッテリセービングモード判定部９１５にバッテリセービングモードが設定されているか問い合わせる。
【０１６２】
ステップＳ９０３において、セル再選択制御部９１０から判定指示信号を受信すると、バッテリセービングモード判定部９１５は、移動機９００がバッテリセービングモードに設定されているか判定し、セル再選択制御部９１０に判定結果を通知する。移動機９００がバッテリセービングモードに設定されている場合（Ｓ９０３：ＹＥＳ）、セル再選択制御部９１０はさらに、モード選択部９３５にシステム帯域幅強制測定モードが設定されているか問い合わせる。他方、移動機９００がバッテリセービングモードに設定されていない場合（Ｓ９０３：ＮＯ）、セル再選択制御部９１０は、より精度の高い干渉測定を実行するため、システム帯域幅測定部９３０を起動する。
【０１６３】
ステップＳ９０４において、モード選択部９３５は、セル再選択制御部９１０から測定モード判定信号を受信すると、移動機９００に対してシステム帯域幅強制測定モードが設定されているか判定し、判定結果をセル再選択制御部９１０に通知する。システム帯域幅強制測定モードが設定されていない場合（Ｓ９０４：Ｍｏｄｅ  １）、セル再選択制御部９１０は、すべての広帯域測定機会において５ＭＨｚ幅測定部９２５を起動する。他方、システム帯域幅強制測定モードが設定されている場合（Ｓ９０４：Ｍｏｄｅ  ２）、セル再選択制御部９１０は、広帯域測定機会Ｘ'回毎にシステム帯域幅測定部９３０を起動する。
【０１６４】
ステップＳ９０５において、セル再選択制御部９１０から測定指示信号を受信すると、システム帯域幅測定部９３０は、システム帯域幅によりサービングセルと隣接セルとの通信状態を測定する。
【０１６５】
ステップＳ９０６において、セル再選択制御部９１０から測定指示信号を受信すると、５ＭＨｚ幅測定部９２５は、５ＭＨｚの帯域幅によりサービングセルと隣接セルとの通信状態を測定する。
【０１６６】
ステップＳ９０７において、セル再選択制御部９１０から測定指示信号を受信すると、システム帯域幅測定部９３０は、システム帯域幅によりサービングセルと隣接セルとの通信状態を測定する。
【０１６７】
ステップＳ９０８において、セル再選択判定部９５０は、６ＲＢ測定部９２０、５ＭＨｚ幅測定部９２５及びシステム帯域幅測定部９３０により測定されたサービングセルと隣接セルとの通信品質に基づき、セル再選択を実行するべきか判定する。サービングセルから隣接セルへのセル再選択を実行すべきと判定すると、セル再選択判定部９５０は、セル再選択実行部９６０にセル再選択を実行するよう指示する。このセル再選択指示信号を受信すると、セル再選択実行部９６０は、指定された隣接セルへのセル再選択を実行する。
【０１６８】
次に、図２０及び２１を参照して、本発明の第１０実施例による移動機を説明する。本実施例では、基地局とのＲＲＣ接続を確立した通信中に１０ＭＨｚのＬＴＥセルに在圏する移動機が、６リソースブロック（すなわち、１．０８ＭＨｚ）の帯域幅の測定帯域と、より広帯域なシステム帯域幅又は５ＭＨｚの測定帯域とを所定のサイクルで切替ながら、サービングセル及び隣接セルの通信状態を測定し、測定された通信状態に基づき５ＭＨｚのＬＴＥセル又は３Ｇセルなどの隣接セルへのハンドオーバを実行する。ここで、システム帯域幅を測定帯域とするか、又は５ＭＨｚの帯域幅を測定帯域とするかは、バッテリセービングモードが設定されているか否かと共に、システム帯域幅強制測定モードが設定されているか否かに応じて決定される。このシステム帯域幅強制測定モードが設定されている場合、バッテリセービングモードの設定に関わらずシステム帯域幅による定期的な測定が強制的に実行される。
【０１６９】
図２０は、本発明の第１０実施例による移動機の構成を示すブロック図である。図２０に示されるように、本実施例による移動機１０００は、ハンドオーバ制御部１０１０と、バッテリセービングモード判定部１０１５と、６リソースブロック（ＲＢ）測定部１０２０と、５ＭＨｚ幅測定部１０２５と、システム帯域幅測定部１０３０と、モード選択部１０３５と、記憶部１０４０と、ハンドオーバ判定部１０５０と、ハンドオーバ実行部１０６０とを有する。
【０１７０】
ハンドオーバ制御部１０１０は、基地局とのＲＲＣ接続が確立された通信中の移動機１０００によるハンドオーバ処理全体を制御する。具体的には、ハンドオーバ制御部１０１０は、所定の測定サイクルに従って１．０８ＭＨｚの帯域幅によりサービングセルと隣接セルとの通信状態を測定するよう６ＲＢ測定部１０２０に指示する。一般に、各移動機は、通信中のサービングセル及び隣接セルの通信状態を所定の測定サイクルにより測定する。
【０１７１】
さらに、ハンドオーバ制御部１０１０は、定期的に１．０８ＭＨｚより大きな帯域幅でサービングセルと隣接セルとの通信状態を測定するため、設定された測定サイクルにより規定される測定機会の一部において５ＭＨｚ幅測定部１０２５又はシステム帯域幅測定部１０３０を起動する。例えば、ハンドオーバ制御部１０１０は、Ｘ回の測定機会のうち１回において５ＭＨｚ帯域幅測定部１０２５又はシステム帯域幅測定部１０３０を起動するようにしてもよい。この切替頻度を指定するＸの値は、所定の定数であってもよいし、通信状況などに応じて動的に移動機により設定されてもよい。５ＭＨｚ帯域幅測定部１０２５とシステム帯域幅測定部１０３０との何れを起動するかは、移動機１０００にバッテリセービングモードが設定されているか否かと、システム帯域幅強制測定モードが設定されているか否かとに基づき決定される。一般に、ハンドオーバ判定では、システム帯域幅の測定結果を利用することが望ましいが、システム帯域幅による測定は大きな消費電力を要する。他方、５ＭＨｚの帯域幅の測定結果を利用しても、許容される精度により干渉を推定できる。従って、移動機１０００がバッテリセービングモードに設定されているときは、５ＭＨｚの帯域幅の測定結果を代用して、ハンドオーバの要否を判定する。しかしながら、移動機１０００がバッテリセービングモードに設定されている場合でも、干渉推定精度を向上させるため、５ＭＨｚの帯域幅による測定機会の一部においてシステム帯域幅を強制的に測定させるよう移動機１０００を設定するようにしてもよい（システム帯域幅強制測定モード）。例えば、ハンドオーバ制御部１０１０は、５ＭＨｚ帯域幅測定部１０２５によるＸ'回の測定機会のうち１回においてシステム帯域幅測定部１０３０を起動するようにしてもよい。この場合、設定された測定サイクルにより規定される測定機会ＸＸ'回毎に、強制的にシステム帯域幅によりサービングセルと隣接セルとの通信状態が測定されることになる。ここで、この切替頻度を指定するＸ'の値は、所定の定数であってもよいし、通信状況などに応じて動的に移動機により設定されてもよい。例えば、Ｘ'＝２に設定された場合、Ｘ回のうちの１回の広帯域の測定機会において、５ＭＨｚ幅測定部１０２５とシステム帯域幅測定部１０３０とが交互に起動されることになる。これにより、バッテリセービングモードに設定されている場合に、通信状態の測定に要する電力消費を抑えながら、干渉推定精度を向上させることが可能となる。
【０１７２】
バッテリセービングモード判定部１０１５は、ハンドオーバ制御部１０１０から移動機１０００にバッテリセービングモードが設定されているか判定するよう要求されると、移動機１０００に設定されている電力モードがバッテリセービングモードであるか否かを判定する。移動機１０００の電力モードは、ユーザにより設定されてもよいし、通信状況に応じて動的に移動機により設定されてもよい。バッテリセービングモードが設定されていない場合、バッテリセービングモード判定部１０１５は、移動機１０００がバッテリセービングモードに設定されていないことをハンドオーバ制御部１０１０に通知する。この通知を受信すると、ハンドオーバ制御部１０１０は、より精度の高い干渉測定を実行するため、システム帯域幅測定部１０３０を起動し、システム帯域幅によりサービングセルと隣接セルとの通信状態を測定させる。他方、バッテリセービングモードが設定されている場合、バッテリセービングモード判定部１０１５は、移動機１０００がバッテリセービングモードに設定されていることをハンドオーバ制御部１０１０に通知する。この通知を受信すると、ハンドオーバ制御部１０１０はさらに、移動機１０００に対してシステム帯域幅強制測定モードが設定されているかモード選択部１０３５に問い合わせる。
【０１７３】
モード選択部１０３５は、ハンドオーバ制御部１０１０から測定モード判定信号を受信すると、移動機１０００に対してシステム帯域幅強制測定モードが設定されているか判定し、判定結果をハンドオーバ制御部１０１０に通知する。モード選択部１０３５からシステム帯域幅強制測定モードが設定されていると通知されると、ハンドオーバ制御部１０１０は、Ｘ'回の広帯域による測定機会のうち（Ｘ'−１）回では５ＭＨｚ幅測定部１０２５を起動し、Ｘ'回の広帯域による測定機会のうち１回においてシステム帯域幅測定部１０３０を起動する。他方、モード選択部１０３５からシステム帯域幅強制測定モードが設定されていないと通知されると、ハンドオーバ制御部１０１０は、広帯域による測定機会のすべてで５ＭＨｚ幅測定部１０２５を起動する。
【０１７４】
６ＲＢ測定部１０２０は、ハンドオーバ制御部１０１０から測定指示信号を受信すると、６リソースブロック（ＲＢ）に相当する１．０８ＭＨｚの帯域幅によりサービングセルと隣接セルとの通信状態を測定し、測定された通信状態を記憶部１０４０に提供する。例えば、６ＲＢ測定部１０２０は、サービングセルと隣接セルとの各基地局から送信されるリファレンス信号について、１．０８ＭＨｚの帯域幅におけるリファレンス信号の受信レベルを測定し、測定した受信レベルに基づき受信品質ＲＳＲＱを決定する。測定される１．０８ＭＨｚの帯域は、典型的には、当該測定帯域の中心周波数がサービングセルの中心周波数となるよう設定される。
【０１７５】
５ＭＨｚ幅測定部１０２５は、ハンドオーバ制御部１０１０から測定指示信号を受信すると、５ＭＨｚの帯域幅によりサービングセルと隣接セルとの通信状態を測定し、測定された通信状態を記憶部１０４０に提供する。例えば、５ＭＨｚ幅測定部１０２５は、サービングセルと隣接セルとの各基地局から送信されるリファレンス信号について、５ＭＨｚの帯域幅におけるリファレンス信号の受信レベルを測定し、測定した受信レベルに基づき受信品質ＲＳＲＱを決定する。測定される５ＭＨｚの帯域は、典型的には、当該測定帯域の中心周波数がサービングセルの中心周波数となるよう設定される。
【０１７６】
システム帯域幅測定部１０３０は、ハンドオーバ制御部１０１０から測定指示信号を受信すると、システム帯域幅によりサービングセルと隣接セルとの通信状態を測定し、測定された通信状態を記憶部１０４０に提供する。例えば、システム帯域幅測定部１０３０は、サービングセルと隣接セルとの各基地局から送信されるリファレンス信号について、システム帯域全体におけるリファレンス信号の受信レベルを測定し、測定した受信レベルに基づき受信品質ＲＳＲＱを決定する。
【０１７７】
記憶部１０４０は、６ＲＢ測定部１０２０、５ＭＨｚ幅測定部１０２５及びシステム帯域幅測定部１０３０から提供される通信品質の測定結果と共に、ハンドオーバ処理に用いられる各種データを格納する。また、記憶部１０４０は、移動機１０００の他の構成要素からの要求に応答して、格納されたデータを提供する。
【０１７８】
ハンドオーバ判定部１０５０は、６ＲＢ測定部１０２０、５ＭＨｚ幅測定部１０２５及びシステム帯域幅測定部１０３０により測定されたサービングセルと隣接セルとの通信状態に基づき、上述したハンドオーバの適否判定基準などを用いてサービングセルから隣接セルへのハンドオーバを実行するか判定する。サービングセルから隣接セルへのハンドオーバを実行すべきと判断すると、ハンドオーバ判定部１０５０は、ハンドオーバ実行部１０６０にハンドオーバを実行するよう指示する。
【０１７９】
ハンドオーバ実行部１０６０は、ハンドオーバ判定部１０５０からサービングセルから隣接セルへのハンドオーバを実行するよう指示されると、サービングセルの基地局及び隣接セルの基地局とやりとりし、ハンドオーバを実行して当該隣接セルを新たなサービングセルに設定する。
【０１８０】
図２１は、本発明の第１０実施例による移動機のハンドオーバ処理を示すフロー図である。図２１に示されるように、ステップＳ１００１において、移動機１０００は、１０ＭＨｚのＬＴＥセルに在圏し、当該セルをサービングセルに設定する。
【０１８１】
ステップＳ１００２において、移動機１０００が基地局とＲＲＣ接続を確立して通信状態に移行すると、ハンドオーバ制御部１０１０は、所定の測定サイクルに従ってサービングセルとハンドオーバ候補セルである隣接セルとの通信状態を測定する。上述したように、ハンドオーバ制御部１０１０は、各測定機会において６ＲＢ測定部１０２０に１．０８ＭＨｚの帯域幅によりサービングセルと隣接セルとの通信状態を測定させる一方、Ｘ回の測定機会のうち１回は５ＭＨｚ幅測定部１０２５又はシステム帯域幅測定部１０３０に５ＭＨｚの帯域幅又はシステム帯域幅によりサービングセルと隣接セルとの通信状態を測定させる。５ＭＨｚ帯域幅測定部１０２５とシステム帯域幅測定部１０３０との何れを起動するかは、移動機１０００に対してバッテリセービングモードが設定されているか否かと、移動機１０００に対してシステム帯域幅強制測定モードが設定されているか否かとに応じて決定される。このため、測定機会Ｘ回毎に、ハンドオーバ制御部１０１０はバッテリセービングモード判定部１０１５にバッテリセービングモードが設定されているか問い合わせる。
【０１８２】
ステップＳ１００３において、ハンドオーバ制御部１０１０から判定指示信号を受信すると、バッテリセービングモード判定部１０１５は、移動機１０００がバッテリセービングモードに設定されているか判定し、ハンドオーバ制御部１０１０に判定結果を通知する。移動機１０００がバッテリセービングモードに設定されている場合（Ｓ１００３：ＹＥＳ）、ハンドオーバ制御部１０１０はさらに、モード選択部１０３５にシステム帯域幅強制測定モードが設定されているか問い合わせる。他方、移動機１０００がバッテリセービングモードに設定されていない場合（Ｓ１００３：ＮＯ）、ハンドオーバ制御部１０１０は、より精度の高い干渉測定を実行するため、システム帯域幅測定部１０３０を起動する。
【０１８３】
ステップＳ１００４において、モード選択部１０３５は、ハンドオーバ制御部１０１０から測定モード判定信号を受信すると、移動機１０００に対してシステム帯域幅強制測定モードが設定されているか判定し、判定結果をハンドオーバ制御部１０１０に通知する。システム帯域幅強制測定モードが設定されていない場合（Ｓ１００４：Ｍｏｄｅ  １）、ハンドオーバ制御部１０１０は、すべての広帯域測定機会において５ＭＨｚ幅測定部１０２５を起動する。他方、システム帯域幅強制測定モードが設定されている場合（Ｓ１００４：Ｍｏｄｅ  ２）、ハンドオーバ制御部１０１０は、広帯域測定機会Ｘ'回毎にシステム帯域幅測定部１０３０を起動する。
【０１８４】
ステップＳ１００５において、ハンドオーバ制御部１０１０から測定指示信号を受信すると、システム帯域幅測定部１０３０は、システム帯域幅によりサービングセルと隣接セルとの通信状態を測定する。
【０１８５】
ステップＳ１００６において、ハンドオーバ制御部１０１０から測定指示信号を受信すると、５ＭＨｚ幅測定部１０２５は、５ＭＨｚの帯域幅によりサービングセルと隣接セルとの通信状態を測定する。
【０１８６】
ステップＳ１００７において、ハンドオーバ制御部１０１０から測定指示信号を受信すると、システム帯域幅測定部１０３０は、システム帯域幅によりサービングセルと隣接セルとの通信状態を測定する。
【０１８７】
ステップＳ１００８において、ハンドオーバ判定部１０５０は、６ＲＢ測定部１０２０、５ＭＨｚ幅測定部１０２５及びシステム帯域幅測定部１０３０により測定されたサービングセルと隣接セルとの通信品質に基づき、ハンドオーバを実行するべきか判定する。サービングセルから隣接セルへのハンドオーバを実行すべきと判定すると、ハンドオーバ判定部１０５０は、ハンドオーバ実行部１０６０にハンドオーバを実行するよう指示する。このハンドオーバ指示信号を受信すると、ハンドオーバ実行部１０６０は、指定された隣接セルへのハンドオーバを実行する。
【０１８８】
上述した実施例では、通信状態を示す指標としてＲＳＲＱが使用されたが、本発明は、これに限定されるものでない。ＲＳＲＰ（Ｒｅｆｅｒｅｎｃｅ  Ｓｉｇｎａｌ  Ｒｅｃｅｉｖｅｄ  Ｐｏｗｅｒ）やＲＳＳＩ（Ｒｅｃｅｉｖｅｄ  Ｓｉｇｎａｌ  Ｓｔｒｅｎｇｔｈ  Ｉｎｄｉｃａｔｏｒ）などの他の何れか適切な指標が使用されてもよい。
【０１８９】
また、上述した実施例では、各測定機会において測定される通常の測定帯域幅として、１．０８ＭＨｚの帯域幅が使用された。しかしながら、本発明は、これに限定されるものでなく、適用される無線通信システムの規格に規定された下限の帯域幅以上であって、バッテリセービングの観点から好ましい何れか適切な帯域幅が利用されてもよい。また、この通常の測定帯域幅より広帯域な測定帯域幅として、５ＭＨｚの帯域幅が使用された。しかしながら、本発明は、これに限定されるものでなく、通常の測定帯域幅より大きく、システム帯域幅より小さい他の何れか適切な帯域幅が利用されてもよい。好ましくは、広帯域測定帯域幅は、隣接セルである５ＭＨｚのＬＴＥセル又は３Ｇセルのガード区間（０．９６ＭＨｚなど）より大きな何れか適切な帯域幅に設定される。
【０１９０】
以上、本発明の実施例について詳述したが、本発明は上述した実施形態に限定されるものではなく、特許請求の範囲に記載された本発明の要旨の範囲内において、種々の変形・変更が可能である。
【符号の説明】
【０１９１】
１００，２００，３００，４００，５００，６００，７００，８００，９００，１０００  移動局
１１０，３１０，５１０，７１０，９１０  セル再選択制御部
２１０，４１０，６１０，８１０，１０１０  ハンドオーバ制御部
１２０，２２０，３２０，４２０，５２０，６２０，７２０，８２０，９２０，１０２０  ６ＲＢ測定部
１２５，２２５，３２５，４２５，５２５，６２５，７２５，８２５，９２５，１０２５  ５ＭＨｚ幅測定部
１３０，２３０，３３０，４３０，５３０，６３０，７３０，８３０，９３０，１０３０  システム帯域幅測定部
【図１】
0005451675.tif 000002
【図２】
0005451675.tif 000003
【図３】
0005451675.tif 000004
【図４】
0005451675.tif 000005
【図５】
0005451675.tif 000006
【図６】
0005451675.tif 000007
【図７】
0005451675.tif 000008
【図８】
0005451675.tif 000009
【図９】
0005451675.tif 000010
【図１０】
0005451675.tif 000011
【図１１】
0005451675.tif 000012
【図１２】
0005451675.tif 000013
【図１３】
0005451675.tif 000014
【図１４】
0005451675.tif 000015
【図１５】
0005451675.tif 000016
【図１６】
0005451675.tif 000017
【図１７】
0005451675.tif 000018
【図１８】
0005451675.tif 000019
【図１９】
0005451675.tif 000020
【図２０】
0005451675.tif 000021
【図２１】
0005451675.tif 000022